(57)【要約】【課題】複数の加入者に向けたディジタルデータ信号を簡単な構成で多重伝送できる経済性に優れた伝送装置を提供する。【解決手段】変調部２０１は、複数のディジタルデータ信号のそれぞれに対応して設けられ、ディジタルデータ信号をＤＳＬ変調信号に変換した後、互いに異なる帯域に周波数変換する。合波部２０７は変調部２０１の出力信号を周波数多重し、光変調部１０２は周波数多重信号を光信号に変換して光伝送部１０３に送出する。光検波部１０４は光伝送部１０３を介して伝送された光信号を電気信号に再変換し、分波部４０８は電気信号を多重分離する。第２の周波数変換部８１１は、分波部４０８の出力信号のそれぞれに対応して設けられ、分離された信号を周波数変換して得られたＤＳＬ変調信号を電気伝送部１０５に送出する。ＤＳＬ復調部１０６は、電気伝送部１０５を介して伝送されたＤＳＬ変調信号を元のディジタルデータ信号に再変換する。【選択図】　　　　図８
2004007326.tif 000002
【特許請求の範囲】
【請求項１】
ディジタル加入者線（ＤＳＬ：Ｄｉｇｉｔａｌ　Ｓｕｂｓｃｒｉｂｅｒ　Ｌｉｎｅ　）サービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を光信号に変換する光変調部と、
前記光変調部から出力された光信号を伝送する光伝送部と、
前記光伝送部によって伝送されてきた光信号を電気信号である前記ＤＳＬ変調信号に再変換する光検波部と、
前記光検波部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項２】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号を伝送する電気伝送部と、
前記電気伝送部によって伝送されてきた信号を所定の第２の周波数帯に周波数変換する第２の周波数変換部と、前記第２の周波数変換部から出力された信号を復調し、前記ディジタルデータ信号を再生するＤＳＬ復調部とを含む復調部とを備えた、伝送装置。
【請求項３】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号を所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項４】
ＤＳＬサービスを提供するための伝送装置であって、
Ｍ個（Ｍは２以上の整数、以下同じ）のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、周波数多重（ＦＤＭ：Ｆｒｅｑｕｅｎｃｙ　Ｄｉｖｉｓｉｏｎ　Ｍｕｌｔｉｐｌｅｘ）信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号を伝送する電気伝送部と、
前記電気伝送部によって伝送されてきたＦＤＭ信号に含まれているＭ個の信号のうちからいずれかの信号を選択し、所定の第２の周波数帯に周波数変換する第２の周波数変換部と、前記第２の周波数変換部から出力された信号を復調し、前記ディジタルデータ信号を再生するＤＳＬ復調部とを含む復調部とを備えた、伝送装置。
【請求項５】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項６】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号をＮ個（Ｎは２以上の整数、以下同じ）に分岐させる分岐部と、
前記分岐部から出力されたＮ個のＦＤＭ信号のそれぞれに対応して設けられ、分岐後の前記ＦＤＭ信号をそれぞれ伝送するＮ個の電気伝送部と、
前記Ｎ個の電気伝送部のそれぞれに対応して設けられ、各前記電気伝送部によって伝送されてきたＦＤＭ信号に含まれているＭ個の信号のうちからいずれかの信号を選択し、所定の第２の周波数帯に周波数変換する第２の周波数変換部と、前記第２の周波数変換部から出力された信号を復調し、前記ディジタルデータ信号を再生するＤＳＬ復調部とを含むＮ個の復調部とを備えた、伝送装置。
【請求項７】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号に含まれているＭ個の信号のうちから、互いに異なるＬ個（Ｌは２以上かつＭ以下の整数、以下同じ）の信号を抽出および分離して出力する分波部と、
前記分波部から出力されたＬ個の信号のそれぞれに対応して設けられ、当該信号をそれぞれを伝送するＬ個の電気伝送部と、
前記Ｌ個の電気伝送部のそれぞれに対応して設けられ、各前記電気伝送部によって伝送されてきた信号を所定の第２の周波数帯に周波数変換する第２の周波数変換部と、前記第２の周波数変換部から出力された信号を復調し、前記ディジタルデータ信号を再生するＤＳＬ復調部とを含むＬ個の復調部とを備えた、伝送装置。
【請求項８】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を電気信号である前記ＦＤＭ信号に再変換する光検波部と、
前記光検波部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換部のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項９】
前記ディジタルデータ信号の個数Ｍと、前記分岐部における分岐数Ｎとが等しいことを特徴とする、請求項６に記載の伝送装置。
【請求項１０】
前記ディジタルデータ信号の個数Ｍと、前記分波部における分波数Ｌとが等しいことを特徴とする、請求項７に記載の伝送装置。
【請求項１１】
前記ディジタルデータ信号の個数Ｍと、前記分波部における分波数Ｌとが等しいことを特徴とする、請求項８に記載の伝送装置。
【請求項１２】
前記ＤＳＬ変調信号の占有周波数帯と、前記第２の周波数帯とが一致することを特徴とする、請求項２に記載の伝送装置。
【請求項１３】
前記ＤＳＬ変調信号の占有周波数帯と、前記第２の周波数帯とが一致することを特徴とする、請求項３に記載の伝送装置。
【請求項１４】
前記ＤＳＬ変調信号の占有周波数帯と、前記第２の周波数帯とが一致することを特徴とする、請求項８に記載の伝送装置。
【請求項１５】
前記ＤＳＬ変調信号は、ＤＭＴ（Ｄｉｓｃｒｅｔｅ　Ｍｕｌｔｉ　Ｔｏｎｅ　）変調方式による変調信号、ＣＡＰ（Ｃａｒｒｉｅｒｌｅｓｓ　Ａｍｐｌｉｔｕｄｅ／Ｐｈａｓｅ　ｍｏｄｕｌａｔｉｏｎ）変調方式による変調信号、またはＱＡＭ（Ｑｕａｄｒａｔｕｒｅ　Ａｍｐｌｉｔｕｄｅ　Ｍｏｄｕｌａｔｉｏｎ　）変調方式による変調信号のうち、いずれかであることを特徴とする、請求項１に記載の伝送装置。
【請求項１６】
前記ＤＳＬ変調信号は、ＤＭＴ変調方式による変調信号、ＣＡＰ変調方式による変調信号、またはＱＡＭ変調方式による変調信号のうち、いずれかであることを特徴とする、請求項３に記載の伝送装置。
【請求項１７】
前記ＤＳＬ変調信号は、ＤＭＴ変調方式による変調信号、ＣＡＰ変調方式による変調信号、またはＱＡＭ変調方式による変調信号のうち、いずれかであることを特徴とする、請求項８に記載の伝送装置。
【請求項１８】
前記電気伝送部は、ツイストペア線または同軸線で構成されていることを特徴とする、請求項１に記載の伝送装置。
【請求項１９】
前記電気伝送部は、ツイストペア線または同軸線で構成されていることを特徴とする、請求項３に記載の伝送装置。
【請求項２０】
前記電気伝送部は、ツイストペア線または同軸線で構成されていることを特徴とする、請求項８に記載の伝送装置。
【請求項２１】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＤＳＬ変調信号を再生する第１のＦＭ復調部と、
前記第１のＦＭ復調部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項２２】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記変調部から出力された信号を再生する第１のＦＭ復調部と、
前記第１のＦＭ復調部から出力された信号を所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項２３】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する第１の合波部と、
前記第１の合波部から出力されたＦＤＭ信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＦＤＭ信号を再生する第１のＦＭ復調部と、
前記第１のＦＭ復調部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項２４】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する第１の合波部と、
前記第１の合波部から出力されたＦＤＭ信号を元信号として、周波数変調信号を生成する第１のＦＭ変調部と、
前記第１のＦＭ変調部から出力された周波数変調信号を光信号に変換する光変調部と、
前記光変調部から出力された光信号を伝送する光伝送部と、
前記光伝送部によって伝送されてきた光信号を電気信号である前記周波数変調信号に再変換する光検波部と、
前記光検波部から出力された周波数変調信号を復調し、前記ＦＤＭ信号を再生する第１のＦＭ復調部と、
前記第１のＦＭ復調部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項２５】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号である前記ＤＳＬ変調信号に再変換する複数の光検波部と、
前記複数の光検波部のそれぞれに対応して設けられ、各前記光検波部から出力されたＤＳＬ変調信号を伝送する複数の電気伝送部と、
前記複数の電気伝送部のそれぞれに対応して設けられ、各前記電気伝送部によって伝送されてきたＤＳＬ変調信号を復調し、前記ディジタルデータ信号を再生する複数のＤＳＬ復調部とを備えた、伝送装置。
【請求項２６】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号に再変換する複数の光検波部と、
前記複数の光検波部のそれぞれに対応して設けられ、各前記光検波部から出力された信号を所定の第２の周波数帯に周波数変換する複数の第２の周波数変換部と、
前記複数の第２の周波数変換部のそれぞれに対応して設けられ、各前記第２の周波数変換部から出力された信号を伝送する複数の電気伝送部と、
前記複数の電気伝送部のそれぞれに対応して設けられ、各前記電気伝送部によって伝送されてきた信号を復調し、前記ディジタルデータ信号を再生する複数のＤＳＬ復調部とを備えた、伝送装置。
【請求項２７】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を光信号に変換する光変調部と、
前記光変調部から出力された光信号を伝送する光伝送部と、
前記光伝送部によって伝送されてきた光信号を複数に分配する光分配部と、
前記光分配部から出力された複数の光信号のそれぞれに対応して設けられ、分配された光信号を電気信号である前記ＦＤＭ信号に再変換する複数の光検波部と、
前記複数の光検波部のそれぞれに対応して設けられ、各前記光検波部から出力されたＦＤＭ信号に含まれているＭ個の信号のうちからいずれかの信号を選択し、所定の第２の周波数帯に周波数変換する複数の第２の周波数変換部と、
前記複数の第２の周波数変換部のそれぞれに対応して設けられ、各前記第２の周波数変換部から出力された信号を伝送する複数の電気伝送部と、
前記複数の電気伝送部のそれぞれに対応して設けられ、当該電気伝送部によって伝送されてきた信号を復調し、前記ディジタルデータ信号を再生する複数のＤＳＬ復調部とを備えた、伝送装置。
【請求項２８】
前記光検波部と前記第２の周波数変換部と前記電気伝送部と前記ＤＳＬ復調部とは、前記光検波部で再変換して得られたＦＤＭ信号に含まれているＭ個の信号のうちから、互いに異なる周波数帯を占める信号を選択して処理することを特徴とする、請求項２７に記載の伝送装置。
【請求項２９】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＤＳＬ変調信号と前記第２の電気信号とを分離して出力する周波数分離部と、
前記周波数分離部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項３０】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記変調部からの出力信号に相当する信号と前記第２の電気信号とを分離して出力する周波数分離部と、
前記周波数分離部から出力された前記変調部からの出力信号に相当する信号を、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項３１】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化してＦＤＭ信号を生成すると共に、さらに所定の第２の電気信号を多重化する合波多重部と、
前記合波多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＦＤＭ信号と前記第２の電気信号とを分離して出力する周波数分離部と、
前記周波数分離部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項３２】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化してＦＤＭ信号を生成すると共に、さらに所定の第２の電気信号を多重化する合波多重部と、
前記合波多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＦＤＭ信号と前記第２の電気信号とを分離して出力する周波数分離部と、
前記周波数分離部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換部のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項３３】
前記第２の電気信号は、ベースバンドディジタルデータ信号であることを特徴とする、請求項３０に記載の伝送装置。
【請求項３４】
前記第２の電気信号は、ベースバンドディジタルデータ信号であることを特徴とする、請求項３２に記載の伝送装置。
【請求項３５】
前記第２の電気信号は、音声信号であることを特徴とする、請求項３０に記載の伝送装置。
【請求項３６】
前記第２の電気信号は、音声信号であることを特徴とする、請求項３２に記載の伝送装置。
【請求項３７】
ＤＳＬサービスを提供するための伝送装置であって、
入力されたディジタルデータ信号に基づきＤＳＬ変調信号を生成するＤＳＬ変調部と、
前記ＤＳＬ変調部から出力されたＤＳＬ変調信号を元信号として、周波数変調信号を生成する第１のＦＭ変調部と、
前記第１のＦＭ変調部から出力された周波数変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記周波数変調信号と前記第２の電気信号とを分離して出力する周波数分離部と、
前記周波数分離部から出力された周波数変調信号を復調して、電気信号である前記ＤＳＬ変調信号を再生する第１のＦＭ復調部と、
前記第１のＦＭ復調部から出力されたＤＳＬ変調信号を伝送する電気伝送部と、
前記電気伝送部によって伝送されてきたＤＳＬ変調信号を復調し、前記ディジタルデータ信号を再生するＤＳＬ復調部とを備えた、伝送装置。
【請求項３８】
ＤＳＬサービスを提供するための伝送装置であって、
入力されたディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含む変調部と、
前記変調部から出力された信号を元信号として、周波数変調信号を生成する第１のＦＭ変調部と、
前記第１のＦＭ変調部から出力された周波数変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記周波数変調信号と前記第２の電気信号とを分離して出力する周波数分離部と、
前記周波数分離部から出力された周波数変調信号を復調して、前記変調部からの出力信号に相当する信号を再生する第１のＦＭ復調部と、
前記第１のＦＭ復調部から出力された信号を所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項３９】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を元信号として、周波数変調信号を生成する第１のＦＭ変調部と、
前記第１のＦＭ変調部から出力された周波数変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記周波数変調信号と前記第２の電気信号とを分離して出力する周波数分離部と、
前記周波数分離部から出力された周波数変調信号を復調して、前記ＦＤＭ信号を再生する第１のＦＭ復調部と、
前記第１のＦＭ復調部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部とを備えた、伝送装置。
【請求項４０】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
前記Ｍ個の変調部から出力されたＭ個の信号を多重化し、ＦＤＭ信号を出力する合波部と、
前記合波部から出力されたＦＤＭ信号を元信号として、周波数変調信号を生成する第１のＦＭ変調部と、
前記第１のＦＭ変調部から出力された周波数変調信号に、所定の第２の電気信号を多重化する周波数多重部と、
前記周波数多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記周波数変調信号と前記第２の電気信号とを分離して出力する周波数分離部と、
前記周波数分離部から出力された周波数変調信号を復調して、前記ＦＤＭ信号を再生する第１のＦＭ復調部と、
前記第１のＦＭ復調部から出力されたＦＤＭ信号に含まれているＭ個の信号のうちから、互いに異なるＬ個の信号を抽出および分離して出力する分波部と、
前記分波部から出力されたＬ個の信号のそれぞれに対応して設けられ、当該信号をそれぞれ所定の第２の周波数帯に周波数変換するＬ個の第２の周波数変換部と、
前記Ｌ個の第２の周波数変換部のそれぞれに対応して設けられ、各前記第２の周波数変換部から出力された信号を伝送するＬ個の電気伝送部と、
前記Ｌ個の電気伝送部のそれぞれに対応して設けられ、各前記電気伝送部によって伝送されてきた信号を復調し、前記ディジタルデータ信号を再生するＬ個のＤＳＬ復調部とを備えた、伝送装置。
【請求項４１】
ＤＳＬサービスを提供するための伝送装置であって、
Ｍ個のディジタルデータ信号のそれぞれに対応して設けられ、入力された各前記ディジタルデータ信号に基づきＤＳＬ変調信号を生成するＤＳＬ変調部と、前記ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、
複数の第２の電気信号を多重化して、出力するＦＤＭ多重部と、
前記ＦＤＭ多重部から出力された信号を元信号として、周波数変調信号を生成する第２のＦＭ変調部と、
前記Ｍ個の変調部から出力されたＭ個の信号を多重化してＦＤＭ信号を生成すると共に、さらに前記第２のＦＭ変調部から出力された周波数変調信号を多重化する合波多重部と、
前記合波多重部から出力された信号を光信号に変換する光変調部と、
前記光変調部から出力された光信号を伝送する光伝送部と、
前記光伝送部によって伝送されてきた光信号を電気信号に再変換する光検波部と、
前記光検波部から出力された信号から、前記ＦＤＭ信号と前記周波数変調信号とを分離して出力する周波数分離部と、
前記周波数分離部から出力されたＦＤＭ信号に含まれているＭ個の信号のうちからいずれかの信号を選択し、所定の第２の周波数帯に周波数変換する第２の周波数変換部と、
前記第２の周波数変換部から出力された信号を伝送する電気伝送部と、
前記電気伝送部によって伝送されてきた信号を復調し、前記ディジタルデータ信号を再生するＤＳＬ復調部と、
前記周波数分離部から出力された周波数変調信号を復調して、元の信号を再生する第２のＦＭ復調部と、
前記第２のＦＭ復調部から出力された信号を周波数分離して、前記複数の第２の電気信号を出力するＦＤＭ分離部とを備えた、伝送装置。
【請求項４２】
ＤＳＬサービスを用いてＭ個の第１の通信装置とＭ個の第２の通信装置との間で１対１の双方向通信を実現するために、前記第１の通信装置から対応する前記第２の通信装置に第１のディジタルデータ信号を伝送し、前記第２の通信装置から対応する前記第１の通信装置に第２のディジタルデータ信号を伝送する伝送装置であって、
前記Ｍ個の第１の通信装置のそれぞれに対応して設けられ、各前記第１の通信装置から出力された第１のディジタルデータ信号に基づき第１のＤＳＬ変調信号を生成するＭ個の第１のＤＳＬ変調部と、
前記Ｍ個の第１のＤＳＬ変調部のそれぞれに対応して設けられ、各前記第１のＤＳＬ変調部から出力された第１のＤＳＬ変調信号を、互いに異なる所定の第１の周波数帯に周波数変換するＭ個の第１の周波数変換部と、
前記Ｍ個の第１の周波数変換部から出力されたＭ個の信号を多重化し、第１のＦＤＭ信号を出力する第１の合波部と、
前記第１の合波部から出力された第１のＦＤＭ信号を光信号に変換する第１の光変調部と、
前記第１の光変調部から出力された光信号を伝送する第１の光伝送部と、
前記第１の光伝送部によって伝送されてきた光信号を電気信号である前記第１のＦＤＭ信号に再変換する第１の光検波部と、
前記第１の光検波部から出力された第１のＦＤＭ信号に含まれているＭ個の信号を分離して出力する第１の分波部と、
前記第１の分波部から出力されたＭ個の信号のそれぞれに対応して設けられ、分離された各信号を所定の第２の周波数帯に周波数変換するＭ個の第２の周波数変換部と、
前記Ｍ個の第２の周波数変換部のそれぞれに対応して設けられ、各前記第２の周波数変換部から出力された信号を伝送するＭ個の第１の電気伝送部と、
前記Ｍ個の第１の電気伝送部のそれぞれに対応して設けられ、各前記第１の電気伝送部によって伝送されてきた信号を復調し、前記第１のディジタルデータ信号を再生して、対応する前記第２の通信装置に出力するＭ個の第１のＤＳＬ復調部と、
前記Ｍ個の第２の通信装置のそれぞれに対応して設けられ、各前記第２の通信装置から出力された第２のディジタルデータ信号に基づき第２のＤＳＬ変調信号を生成するＭ個の第２のＤＳＬ変調部と、
前記Ｍ個の第２のＤＳＬ変調部のそれぞれに対応して設けられ、各前記第２のＤＳＬ変調部から出力された第２のＤＳＬ変調信号を伝送するＭ個の第２の電気伝送部と、
前記Ｍ個の第２の電気伝送部のそれぞれに対応して設けられ、各前記第２の電気伝送部によって伝送されてきた第２のＤＳＬ変調信号を、互いに異なる所定の第３の周波数帯に周波数変換するＭ個の第３の周波数変換部と、
前記Ｍ個の第３の周波数変換部から出力されたＭ個の信号を多重化し、第２のＦＤＭ信号を出力する第２の合波部と、
前記第２の合波部から出力された第２のＦＤＭ信号を光信号に変換する第２の光変調部と、
前記第２の光変調部から出力された光信号を伝送する第２の光伝送部と、
前記第２の光伝送部によって伝送されてきた光信号を電気信号である前記第２のＦＤＭ信号に再変換する第２の光検波部と、
前記第２の光検波部から出力された第２のＦＤＭ信号に含まれているＭ個の信号を分離して出力する第２の分波部と、
前記第２の分波部から出力されたＭ個の信号のそれぞれに対応して設けられ、分離された各信号を所定の第４の周波数帯に周波数変換するＭ個の第４の周波数変換部と、
前記Ｍ個の第４の周波数変換部のそれぞれに対応して設けられ、各前記第４の周波数変換部から出力された信号を復調し、前記第２のディジタルデータ信号を再生して、対応する前記の第１の通信装置に出力するＭ個の第２のＤＳＬ復調部とを備えた、伝送装置。
【請求項４３】
ＤＳＬサービスを用いてＭ個の第１の通信装置とＭ個の第２の通信装置との間で１対１の双方向通信を実現するために、前記第１の通信装置から対応する前記第２の通信装置に第１のディジタルデータ信号を伝送し、前記第２の通信装置から対応する前記第１の通信装置に第２のディジタルデータ信号を伝送する伝送装置であって、
前記Ｍ個の第１の通信装置のそれぞれに対応して設けられ、各前記第１の通信装置から出力された第１のディジタルデータ信号に基づき第１のＤＳＬ変調信号を生成すると共に、入力された第２のＤＳＬ変調信号を復調することにより前記第２のディジタルデータ信号を再生して、対応する前記第１の通信装置に出力するＭ個の第１の変復調部と、
前記Ｍ個の第１の変復調部のそれぞれに対応して設けられ、各前記第１の変復調部から出力された第１のＤＳＬ変調信号を出力すると共に、入力された前記第２のＤＳＬ変調信号を対応する前記第１の変復調部に出力するＭ個の第１の分離部と、
前記Ｍ個の第１の分離部のそれぞれに対応して設けられ、各前記第１の分離部から出力された第１のＤＳＬ変調信号を、互いに異なる所定の第１の周波数帯に周波数変換するＭ個の第１の周波数変換部と、
前記Ｍ個の第１の周波数変換部から出力されたＭ個の信号を多重化し、第１のＦＤＭ信号を出力する第１の合波部と、
前記第１の合波部から出力された第１のＦＤＭ信号を光信号に変換する第１の光変調部と、
前記第１の光変調部から出力された光信号を伝送する第１の光伝送部と、
前記第１の光伝送部によって伝送されてきた光信号を電気信号である前記第１のＦＤＭ信号に再変換する第１の光検波部と、
前記第１の光検波部から出力された第１のＦＤＭ信号に含まれているＭ個の信号を分離して出力する第１の分波部と、
前記第１の分波部から出力されたＭ個の信号のそれぞれに対応して設けられ、分離された各信号を所定の第２の周波数帯に周波数変換することにより、前記第１のＤＳＬ変調信号を求めるＭ個の第２の周波数変換部と、
前記Ｍ個の第２の通信装置のそれぞれに対応して設けられた、Ｍ個の双方向電気伝送部と、
前記Ｍ個の第２の周波数変換部のそれぞれに対応して設けられ、各前記第２の周波数変換部から出力された第１のＤＳＬ変調信号を対応する前記双方向電気伝送部に送出すると共に、当該双方向電気伝送部によって伝送されてきた第２のＤＳＬ変調信号を受信して出力するＭ個の第２の分離部と、
前記Ｍ個の双方向電気伝送部のそれぞれに対応して設けられ、当該双方向電気伝送部によって伝送されてきた第１のＤＳＬ変調信号を復調することにより、前記第１のディジタルデータ信号を再生して、対応する前記第２の通信装置に出力すると共に、当該第２の通信装置から出力された第２のディジタルデータ信号に基づき前記第２のＤＳＬ変調信号を生成して、対応する前記双方向電気伝送部に送出するＭ個の第２の変復調部と、
前記Ｍ個の第２の分離部のそれぞれに対応して設けられ、各前記第２の分離部から出力された第２のＤＳＬ変調信号を、互いに異なる所定の第３の周波数帯に周波数変換するＭ個の第３の周波数変換部と、
前記Ｍ個の第３の周波数変換部から出力されたＭ個の信号を多重化し、第２のＦＤＭ信号を出力する第２の合波部と、
前記第２の合波部から出力された第２のＦＤＭ信号を光信号に変換する第２の光変調部と、
前記第２の光変調部から出力された光信号を伝送する第２の光伝送部と、
前記第２の光伝送部によって伝送されてきた光信号を電気信号である前記第２のＦＤＭ信号に再変換する第２の光検波部と、
前記第２の光検波部から出力された第２のＦＤＭ信号に含まれているＭ個の信号を分離して出力する第２の分波部と、
前記第２の分波部から出力されたＭ個の信号のそれぞれに対応して設けられ、分離された各信号を所定の第４の周波数帯に周波数変換することにより、前記第２のＤＳＬ変調信号を求めて、対応する前記第１の分離部に出力するＭ個の第４の周波数変換部とを備えた、伝送装置。
【請求項４４】
ＤＳＬサービスを用いてＭ個の第１の通信装置とＭ個の第２の通信装置との間で１対１の双方向通信を実現するために、前記第１の通信装置から対応する前記第２の通信装置に第１のディジタルデータ信号を伝送し、前記第２の通信装置から対応する前記第１の通信装置に第２のディジタルデータ信号を伝送する伝送装置であって、
前記Ｍ個の第１の通信装置のそれぞれに対応して設けられ、各前記第１の通信装置から出力された第１のディジタルデータ信号に基づき第１のＤＳＬ変調信号を生成すると共に、入力された第２のＤＳＬ変調信号を復調することにより前記第２のディジタルデータ信号を再生して、対応する前記第１の通信装置に出力するＭ個の第１の変復調部と、
前記Ｍ個の第１の変復調部のそれぞれに対応して設けられ、各前記第１の変復調部から出力された第１のＤＳＬ変調信号を出力すると共に、入力された前記第２のＤＳＬ変調信号を対応する前記第１の変復調部に出力するＭ個の第１の分離部と、
前記Ｍ個の第１の分離部のそれぞれに対応して設けられ、各前記第１の分離部から出力された第１のＤＳＬ変調信号を、互いに異なる所定の第１の周波数帯に周波数変換するＭ個の第１の周波数変換部と、
前記Ｍ個の第１の周波数変換部から出力されたＭ個の信号を多重化し、第１のＦＤＭ信号を出力する第１の合波部と、
前記第１の合波部から出力された第１のＦＤＭ信号を第１の光信号に変換する第１の光変調部と、
光信号を双方向に伝送できる双方向光伝送部と、
前記第１の光変調部から出力された第１の光信号を前記双方向光伝送部に送出すると共に、前記双方向光伝送部によって伝送されてきた第２の光信号を受け取り出力する第１の光合分波部と、
前記双方向光伝送部によって伝送されてきた前記第１の光信号を受け取り出力すると共に、入力された前記第２の光信号を前記双方向光伝送部に送出する第２の光合分波部と、
前記第２の光合分波部から出力された第１の光信号を電気信号である第１のＦＤＭ信号に再変換する第１の光検波部と、
前記第１の光検波部から出力された第１のＦＤＭ信号に含まれているＭ個の信号を分離して出力する第１の分波部と、
前記第１の分波部から出力されたＭ個の信号のそれぞれに対応して設けられ、分離された各信号を所定の第２の周波数帯に周波数変換することにより、前記第１のＤＳＬ変調信号を求めるＭ個の第２の周波数変換部と、
前記Ｍ個の第２の通信装置のそれぞれに対応して設けられた、Ｍ個の双方向電気伝送部と、
前記Ｍ個の第２の周波数変換部のそれぞれに対応して設けられ、各前記第２の周波数変換部から出力された第１のＤＳＬ変調信号を対応する前記双方向電気伝送部に送出すると共に、当該双方向電気伝送部によって伝送されてきた第２のＤＳＬ変調信号を受け取り出力するＭ個の第２の分離部と、
前記Ｍ個の双方向電気伝送部のそれぞれに対応して設けられ、当該双方向電気伝送部によって伝送されてきた第１のＤＳＬ変調信号を復調することにより、前記第１のディジタルデータ信号を再生して、対応する前記第２の通信装置に出力すると共に、当該第２の通信装置から出力された第２のディジタルデータ信号に基づき前記第２のＤＳＬ変調信号を生成して、対応する前記双方向電気伝送部に送出するＭ個の第２の変復調部と、
前記Ｍ個の第２の分離部のそれぞれに対応して設けられ、各前記第２の分離部から出力された第２のＤＳＬ変調信号を、互いに異なる所定の第３の周波数帯に周波数変換するＭ個の第３の周波数変換部と、
前記Ｍ個の第３の周波数変換部から出力されたＭ個の信号を多重化し、第２のＦＤＭ信号を出力する第２の合波部と、
前記第２の合波部から出力された第２のＦＤＭ信号を前記第２の光信号に変換し、前記第２の光合分波部に出力する第２の光変調部と、
前記第１の光合分波部から出力された第２の光信号を電気信号である第２のＦＤＭ信号に再変換する第２の光検波部と、
前記第２の光検波部から出力された第２のＦＤＭ信号に含まれているＭ個の信号を分離して出力する第２の分波部と、
前記第２の分波部から出力されたＭ個の信号のそれぞれに対応して設けられ、分離された各信号を所定の第４の周波数帯に周波数変換することにより、前記第２のＤＳＬ変調信号を求めて、対応する前記第１の分離部に出力するＭ個の第４の周波数変換部とを備えた、伝送装置。
【請求項４５】
前記第１の変復調部から出力される第１のＤＳＬ変調信号が占有する周波数帯と、前記第２の変復調部から出力される第２のＤＳＬ変調信号が占有する周波数帯とが、周波数軸上において互いに隣接することを特徴とする、請求項４３に記載の伝送装置。
【請求項４６】
前記第１の変復調部から出力される第１のＤＳＬ変調信号が占有する周波数帯と、前記第２の変復調部から出力される第２のＤＳＬ変調信号が占有する周波数帯とが、周波数軸上において互いに隣接することを特徴とする、請求項４４に記載の伝送装置。
【請求項４７】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上において互いに隣接することを特徴とする、請求項４３に記載の伝送装置。
【請求項４８】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上において互いに隣接することを特徴とする、請求項４４に記載の伝送装置。
【請求項４９】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上に交互に配置されることを特徴とする、請求項４３に記載の伝送装置。
【請求項５０】
前記第１の変復調部から出力される第１のＤＳＬ変調信号が、前記第１の周波数変換部によって周波数変換されたときに得られる信号を、第１の信号とし、前記第１の変復調部に対応する前記第２の変復調部から出力される第２のＤＳＬ変調信号が、前記第２の周波数変換部によって周波数変換されたときに得られる信号を、第２の信号としたときに、前記第１の信号が占有する周波数帯と、前記第２の信号が占有する周波数帯とが、周波数軸上に交互に配置されることを特徴とする、請求項４４に記載の伝送装置。
【発明の詳細な説明】
【０００１】
【発明の属する技術分野】
本発明は、ディジタル加入者線（ＤＳＬ：Ｄｉｇｉｔａｌ　Ｓｕｂｓｃｒｉｂｅｒ　Ｌｉｎｅ　）サービスを提供するための伝送装置に関する。
【０００２】
【従来の技術】
デジタル加入者線（以下、ＤＳＬと略称する）サービスに関しては、次のような技術が知られている。図３３を参照して、従来の技術を説明する。図３３は、ＤＳＬサービスを提供するための従来の伝送装置の構成の一例を示したブロック図である。図３３に示す伝送装置３３は、ＤＳＬ変調部６０１と、光変調部６０２と、光伝送部６０３と、光検波部６０４と、電気伝送部６０５と、ＤＳＬ復調部６０６とを備えている。
【０００３】
伝送装置３３は、次のように動作する。光変調部６０２は、入力されたディジタルデータ信号を光信号に変換して、光伝送部６０３に送出する。光検波部６０４は、光伝送部６０３を介して伝送されてきた光信号を電気信号であるディジタルデータ信号に再変換する。ＤＳＬ変調部６０１は、光検波部６０４から出力されたディジタルデータ信号を所定形式のＤＳＬ変調信号に変換して、電気伝送部６０５に送出する。ＤＳＬ復調部６０６は、電気伝送部６０５を介して伝送されてきたＤＳＬ変調信号を元のディジタルデータ信号に再変換する。
【０００４】
伝送装置３３は、一般に、ＤＳＬサービスに適用されている。ＤＳＬサービスでは、光変調部６０２を含む光送出設備６００１は電話会社等のセンター局に設置され、光検波部６０４およびＤＳＬ変調部６０１を含む光終端装置６００２は電柱の上部、加入者宅の側壁、あるいは集合住宅の共用施設等に設置され、ＤＳＬ復調部６０６を含む加入者端末６００３は加入者宅内に設置される。
【０００５】
以上のような従来の伝送装置では、局設備から加入者端末までに至る全伝送経路の大部分を低損失な光ファイバで構成し、かつその区間ではディジタル信号を伝送することにより、伝送特性を向上させ、伝送路に対する要求性能を大幅に緩和することができる。また、全伝送経路の末端部分（光終端装置から加入者端末まで）に相当する加入者宅内配線部分をツイストペア等の電気線路で構成し、かつその区間ではＤＳＬ変調信号を伝送することにより、加入者宅内配線の取り扱い性を向上させ、その低コスト化を図ることができる。このように、従来の技術によれば、伝送システム全体の長距離化と、加入者宅内設備の設置性向上およびその経済性とを両立することができる。
【０００６】
【発明が解決しようとする課題】
しかしながら、上記のような従来の伝送装置には、以下に示すように、光終端装置が大型化するために、収容できる加入者数が制限され、装置のコストが高くなるという問題がある。すなわち、図３３に示す構成では、光終端装置６００２がＤＳＬ変調部６０１を備える必要があるため、光終端装置６００２が大型化し、光終端装置６００２のコストが高くなる。また、図３４に示すように、この伝送装置に複数（図３４に示す伝送装置３４では２つ）の加入者を収容する場合には、光送出設備７００１が、複数のディジタル信号を多重化する多重化部７０７を備え、光終端装置７００２が、光検波部６０４から出力されるディジタル信号を多重分離する多重分離部７０８と、多重分離された複数のディジタル信号をそれぞれＤＳＬ変調信号に変換する２つのＤＳＬ変調部６０１とを備える必要が生じる。特に、加入者近傍に設置される光終端装置７００２が大型化し、そのコストが高くなるので、伝送装置全体の経済性に大きな悪影響を与える。
【０００７】
また、ディジタル信号の伝送フォーマットとして、ＤＳＬシステムで一般に使用される非同期転送モード（ＡＴＭ：Ａｓｙｎｃｈｒｏｎｏｕｓ　Ｔｒａｎｓｆｅｒ　Ｍｏｄｅ）を採用した場合には、光送出設備および光終端装置が非同期転送モードに対応した装置および回路を備える必要が生じるため、これらの装置のコストはさらに高くなる。
【０００８】
それ故に、本発明の目的は、ＤＳＬサービス等を低コストで提供し、かつ、収容可能な加入者数を容易に拡張できる伝送装置を提供することである。
【０００９】
【課題を解決するための手段および発明の効果】
第１の発明は、ディジタル加入者線（ＤＳＬ：Ｄｉｇｉｔａｌ　Ｓｕｂｓｃｒｉｂｅｒ　Ｌｉｎｅ　）サービスを提供するための伝送装置であって、入力されたディジタルデータ信号に基づきＤＳＬ変調信号を生成するＤＳＬ変調部と、ＤＳＬ変調部から出力されたＤＳＬ変調信号を光信号に変換する光変調部と、光変調部から出力された光信号を伝送する光伝送部と、光伝送部によって伝送されてきた光信号を電気信号であるＤＳＬ変調信号に再変換する光検波部と、光検波部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
このような第１の発明によれば、光送出設備においてディジタル信号がＤＳＬ変調信号に変換され、ＤＳＬ変調信号が光伝送され、光終端装置から加入者端末まではＤＳＬ変調信号が電気伝送される。これにより、ＤＳＬ変調装置を光送出設備内に設置することができるので、光終端装置を小型かつ低コストにし、伝送装置の設置性向上と低コスト化とを同時に達成することができる。
【００１０】
第２の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を光信号に変換する光変調部と、光変調部から出力された光信号を伝送する光伝送部と、光伝送部によって伝送されてきた光信号を電気信号に再変換する光検波部と、光検波部から出力された信号を伝送する電気伝送部と、電気伝送部によって伝送されてきた信号を所定の第２の周波数帯に周波数変換する第２の周波数変換部と、第２の周波数変換部から出力された信号を復調し、ディジタルデータ信号を再生するＤＳＬ復調部とを含む復調部とを備える。
このような第２の発明によれば、光送出設備で生成されたＤＳＬ変調信号は、周波数変換された後、光伝送される。これにより、光終端装置を小型かつ低コストにし、伝送装置の設置性向上と低コスト化を同時に達成することができる。また、簡単な構成で、適宜選択した周波数帯を用いて光伝送を行うことができる。
【００１１】
第３の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を光信号に変換する光変調部と、光変調部から出力された光信号を伝送する光伝送部と、光伝送部によって伝送されてきた光信号を電気信号に再変換する光検波部と、光検波部から出力された信号を所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００１２】
このような第３の発明によれば、光送出設備で生成されたＤＳＬ変調信号は、周波数変換された後、光伝送される。これにより、光終端装置を小型かつ低コストにし、伝送装置の設置性向上と低コスト化を同時に達成することができる。また、簡単な構成で、適宜選択した周波数帯を用いて光伝送を行うことができる。
【００１３】
第４の発明は、ＤＳＬサービスを提供するための伝送装置であって、Ｍ個（Ｍは２以上の整数、以下同じ）のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、周波数多重（ＦＤＭ：Ｆｒｅｑｕｅｎｃｙ　Ｄｉｖｉｓｉｏｎ　Ｍｕｌｔｉｐｌｅｘ）信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号を伝送する電気伝送部と、電気伝送部によって伝送されてきたＦＤＭ信号に含まれているＭ個の信号のうちからいずれかの信号を選択し、所定の第２の周波数帯に周波数変換する第２の周波数変換部と、第２の周波数変換部から出力された信号を復調し、ディジタルデータ信号を再生するＤＳＬ復調部とを含む復調部とを備える。
このような第４の発明によれば、複数チャンネルのディジタルデータ信号は、ＤＳＬ変調信号に変換され、さらに周波数変換されて多重化され、光伝送される。これにより、簡単な構成で、多チャンネルの伝送装置を提供することができる。
【００１４】
第５の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
このような第５の発明によれば、複数チャンネルのディジタルデータ信号は、ＤＳＬ変調信号に変換され、さらに周波数変換されて多重化され、光伝送され、再度周波数変換された後、電気伝送される。これにより、復調部に従来のシステムと同様の装置および回路を使用できるので、多チャンネル伝送装置のコストを削減することができる。
【００１５】
第６の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号をＮ個（Ｎは２以上の整数、以下同じ）に分岐させる分岐部と、分岐部から出力されたＮ個のＦＤＭ信号のそれぞれに対応して設けられ、分岐後のＦＤＭ信号をそれぞれ伝送するＮ個の電気伝送部と、Ｎ個の電気伝送部のそれぞれに対応して設けられ、各電気伝送部によって伝送されてきたＦＤＭ信号に含まれているＭ個の信号のうちからいずれかの信号を選択し、所定の第２の周波数帯に周波数変換する第２の周波数変換部と、第２の周波数変換部から出力された信号を復調し、ディジタルデータ信号を再生するＤＳＬ復調部とを含むＮ個の復調部とを備える。
このような第６の発明によれば、複数チャンネルのディジタルデータ信号は、ＤＳＬ変調信号に変換され、さらに周波数変換されて多重化され、光伝送される。その後、受信された信号が分岐し、複数の加入者端末に入力される。これにより、経済的な構成で、多くの加入者を収容できる大容量の伝送装置を提供することができる。
【００１６】
第７の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号に含まれているＭ個の信号のうちから、互いに異なるＬ個（Ｌは２以上かつＭ以下の整数、以下同じ）の信号を抽出および分離して出力する分波部と、分波部から出力されたＬ個の信号のそれぞれに対応して設けられ、当該信号をそれぞれを伝送するＬ個の電気伝送部と、Ｌ個の電気伝送部のそれぞれに対応して設けられ、各電気伝送部によって伝送されてきた信号を所定の第２の周波数帯に周波数変換する第２の周波数変換部と、第２の周波数変換部から出力された信号を復調し、ディジタルデータ信号を再生するＤＳＬ復調部とを含むＬ個の復調部とを備える。
このような第７の発明によれば、複数の加入者に向けた各ディジタルデータ信号は、ＤＳＬ変調信号に変換され、さらに周波数変換されて多重化され、光伝送された後、多重分離され、それぞれの加入者端末に伝送される。これにより、経済的な構成で、多くの加入者を収容できる伝送装置を提供することができる。
【００１７】
第８の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を電気信号であるＦＤＭ信号に再変換する光検波部と、光検波部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換部のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
【００１８】
このような第８の発明によれば、複数の加入者に向けた各ディジタルデータ信号は、ＤＳＬ変調信号に変換され、さらに周波数変換されて多重化され、光伝送された後、多重分離され、再度周波数変換される。その結果得られたＤＳＬ変調信号が、それぞれの加入者端末に電気伝送される。これにより、複数個備える必要がある復調部に従来のシステムと同様の装置および回路を使用できるので、経済的な構成で、多くの加入者を収容できる伝送装置を提供することができる。
【００１９】
第９の発明は、第６の発明において、ディジタルデータ信号の個数Ｍと、分岐部における分岐数Ｎとが等しいことを特徴とする。
第１０および第１１の発明は、それぞれ、第７および第８の発明において、ディジタルデータ信号の個数Ｍと、分波部における分波数Ｌとが等しいことを特徴とする。
このような第９ないし第１１の発明によれば、光送信設備に入力されるディジタルデータの個数と加入者端末数とを一致させることにより、複数の加入者を効率良く収容し、伝送装置の経済性を高めることができる。
【００２０】
第１２ないし第１４の発明は、それぞれ、第２、第３および第８の発明において、ＤＳＬ変調信号の占有周波数帯と、第２の周波数帯とが一致することを特徴とする。
このような第１２ないし第１４の発明によれば、光送出設備内に設置するＤＳＬ変調部から出力されるＤＳＬ変調信号の周波数帯と、第２の周波数変換部における第２の周波数帯とを一致させることにより、ＤＳＬ変調部およびＤＳＬ復調部に、一般的な構成を有する回路を使用できるので、伝送装置の経済性を高めることができる。
【００２１】
第１５、第１６および第１７の発明は、それぞれ、第１、第３および第８の発明において、ＤＳＬ変調信号は、ＤＭＴ（Ｄｉｓｃｒｅｔｅ　Ｍｕｌｔｉ−Ｔｏｎｅ　）変調方式による変調信号、ＣＡＰ（Ｃａｒｒｉｅｒｌｅｓｓ　Ａｍｐｌｉｔｕｄｅ／Ｐｈａｓｅ　ｍｏｄｕｌａｔｉｏｎ）変調方式による変調信号、またはＱＡＭ（Ｑｕａｄｒａｔｕｒｅ　Ａｍｐｌｉｔｕｄｅ　Ｍｏｄｕｌａｔｉｏｎ　）変調方式による変調信号のうち、いずれかであることを特徴とする。
このような第１５ないし第１７の発明によれば、ＤＳＬ変調信号の形式として、広く普及している形式を採用することにより、ＤＳＬ変調部およびＤＳＬ復調部に汎用の回路を使用できるので、伝送装置の経済性を高めることができる。
【００２２】
第１８、第１９および第２０の発明は、それぞれ、第１、第３および第８の発明において、電気伝送部は、ツイストペア線または同軸線で構成されていることを特徴とする。
このような第１８ないし第２０の発明によれば、光終端装置から加入者端末までの電気伝送部として、広く普及しているツイストペア線または同軸線を採用することにより、伝送装置の経済性を高めることができる。
【００２３】
第２１の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＤＳＬ変調信号を再生する第１のＦＭ復調部と、第１のＦＭ復調部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
【００２４】
第２２の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、変調部から出力された信号を再生する第１のＦＭ復調部と、第１のＦＭ復調部から出力された信号を所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００２５】
第２３の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する第１の合波部と、第１の合波部から出力されたＦＤＭ信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＦＤＭ信号を再生する第１のＦＭ復調部と、第１のＦＭ復調部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００２６】
第２４の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する第１の合波部と、第１の合波部から出力されたＦＤＭ信号を元信号として、周波数変調信号を生成する第１のＦＭ変調部と、第１のＦＭ変調部から出力された周波数変調信号を光信号に変換する光変調部と、光変調部から出力された光信号を伝送する光伝送部と、光伝送部によって伝送されてきた光信号を電気信号である周波数変調信号に再変換する光検波部と、光検波部から出力された周波数変調信号を復調し、ＦＤＭ信号を再生する第１のＦＭ復調部と、第１のＦＭ復調部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
このような第２１ないし第２４の発明は、それぞれ、第１、第３、第５および第８の発明に、光伝送の前後でＦＭ変復調する機能を追加したものである。したがって、第２１ないし第２４の発明によれば、第１、第３、第５および第８の発明の効果に加えて、ＦＭ伝送方式が有する特徴を利用して、光伝送時の雑音特性および多重反射耐性を改善することができる。これにより、品質の低い光伝送路を利用した場合でも伝送品質を確保できるので、高品質かつ低コストな伝送装置を提供することができる。
【００２７】
第２５の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号であるＤＳＬ変調信号に再変換する複数の光検波部と、複数の光検波部のそれぞれに対応して設けられ、各光検波部から出力されたＤＳＬ変調信号を伝送する複数の電気伝送部と、複数の電気伝送部のそれぞれに対応して設けられ、各電気伝送部によって伝送されてきたＤＳＬ変調信号を復調し、ディジタルデータ信号を再生する複数のＤＳＬ復調部とを備える。
【００２８】
第２６の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号に再変換する複数の光検波部と、複数の光検波部のそれぞれに対応して設けられ、各光検波部から出力された信号を所定の第２の周波数帯に周波数変換する複数の第２の周波数変換部と、複数の第２の周波数変換部のそれぞれに対応して設けられ、各第２の周波数変換部から出力された信号を伝送する複数の電気伝送部と、複数の電気伝送部のそれぞれに対応して設けられ、各電気伝送部によって伝送されてきた信号を復調し、ディジタルデータ信号を再生する複数のＤＳＬ復調部とを備える。
【００２９】
第２７の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を光信号に変換する光変調部と、光変調部から出力された光信号を伝送する光伝送部と、光伝送部によって伝送されてきた光信号を複数に分配する光分配部と、光分配部から出力された複数の光信号のそれぞれに対応して設けられ、分配された光信号を電気信号であるＦＤＭ信号に再変換する複数の光検波部と、複数の光検波部のそれぞれに対応して設けられ、各光検波部から出力されたＦＤＭ信号に含まれているＭ個の信号のうちからいずれかの信号を選択し、所定の第２の周波数帯に周波数変換する複数の第２の周波数変換部と、複数の第２の周波数変換部のそれぞれに対応して設けられ、各第２の周波数変換部から出力された信号を伝送する複数の電気伝送部と、複数の電気伝送部のそれぞれに対応して設けられ、当該電気伝送部によって伝送されてきた信号を復調し、ディジタルデータ信号を再生する複数のＤＳＬ復調部とを備える。
このような第２５ないし第２７の発明は、それぞれ、第１、第３および第５の発明に、受信した光信号を分配する機能を追加したものである。したがって、第２５ないし第２７の発明によれば、第１、第３および第５の発明の効果に加えて、受信した光信号を複数に分配することにより、さらに多くの加入者端末を収容することができるので、伝送装置の経済性を高めることができる。
【００３０】
第２８の発明は、第２７の発明において、光検波部と第２の周波数変換部と電気伝送部とＤＳＬ復調部とは、光検波部で再変換して得られたＦＤＭ信号に含まれているＭ個の信号のうちから、互いに異なる周波数帯を占める信号を選択して処理することを特徴とする。
【００３１】
このような第２８の発明によれば、各加入者端末が互いに異なる周波数変換信号を処理することにより、多くの加入者端末を収容でき、伝送信号品質が良好な伝送装置を提供することができる。
【００３２】
第２９の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＤＳＬ変調信号と第２の電気信号とを分離して出力する周波数分離部と、周波数分離部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
【００３３】
第３０の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、変調部からの出力信号に相当する信号と第２の電気信号とを分離して出力する周波数分離部と、周波数分離部から出力された変調部からの出力信号に相当する信号を、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００３４】
第３１の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化してＦＤＭ信号を生成すると共に、さらに所定の第２の電気信号を多重化する合波多重部と、合波多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＦＤＭ信号と第２の電気信号とを分離して出力する周波数分離部と、周波数分離部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００３５】
第３２の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化してＦＤＭ信号を生成すると共に、さらに所定の第２の電気信号を多重化する合波多重部と、合波多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＦＤＭ信号と第２の電気信号とを分離して出力する周波数分離部と、周波数分離部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換部のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
このような第２９ないし第３２の発明は、それぞれ、第１、第３、第５および第８の発明に、第２の電気信号を光信号に周波数多重して伝送する機能を追加したものである。したがって、第２９ないし第３２の発明によれば、第１、第３、第５および第８の発明の効果に加えて、ＤＳＬサービス以外のサービス等も提供できる拡張性および柔軟性に優れた伝送装置を提供することができる。
【００３６】
第３３および第３４の発明は、それぞれ、第３０および第３２の発明において、第２の電気信号は、ベースバンドディジタルデータ信号であることを特徴とする。
第３５および第３６の発明は、それぞれ、第３０および第３２の発明において、第２の電気信号は、音声信号であることを特徴とする。
このような第３３ないし第３６の発明によれば、ＤＳＬ変調信号またはＦＤＭ信号にディジタルデータ信号または音声信号を周波数多重して伝送することにより、新規サービスを提供できる伝送装置を提供することができる。
【００３７】
第３７の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を元信号として、周波数変調信号を生成する第１のＦＭ変調部と、第１のＦＭ変調部から出力された周波数変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、周波数変調信号と第２の電気信号とを分離して出力する周波数分離部と、周波数分離部から出力された周波数変調信号を復調して、電気信号であるＤＳＬ変調信号を再生する第１のＦＭ復調部と、第１のＦＭ復調部から出力されたＤＳＬ変調信号を伝送する電気伝送部と、電気伝送部によって伝送されてきたＤＳＬ変調信号を復調し、ディジタルデータ信号を再生するＤＳＬ復調部とを備える。
【００３８】
第３８の発明は、ＤＳＬサービスを提供するための伝送装置であって、入力されたディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含む変調部と、変調部から出力された信号を元信号として、周波数変調信号を生成する第１のＦＭ変調部と、第１のＦＭ変調部から出力された周波数変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、周波数変調信号と第２の電気信号とを分離して出力する周波数分離部と、周波数分離部から出力された周波数変調信号を復調して、変調部からの出力信号に相当する信号を再生する第１のＦＭ復調部と、第１のＦＭ復調部から出力された信号を所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００３９】
第３９の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍ個の変調部から出力されたＭ個の信号を多重化し、ＦＤＭ信号を出力する合波部と、合波部から出力されたＦＤＭ信号を元信号として、周波数変調信号を生成する第１のＦＭ変調部と、第１のＦＭ変調部から出力された周波数変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、周波数変調信号と第２の電気信号とを分離して出力する周波数分離部と、周波数分離部から出力された周波数変調信号を復調して、ＦＤＭ信号を再生する第１のＦＭ復調部と、第１のＦＭ復調部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部とを備える。
【００４０】
第４０の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、Ｍの変調部から出力されたＭ個の信号を多重化し、ＦＤＭ信号を出力する合波部と、合波部から出力されたＦＤＭ信号を元信号として、周波数変調信号を生成する第１のＦＭ変調部と、第１のＦＭ変調部から出力された周波数変調信号に、所定の第２の電気信号を多重化する周波数多重部と、周波数多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、周波数変調信号と第２の電気信号とを分離して出力する周波数分離部と、周波数分離部から出力された周波数変調信号を復調して、ＦＤＭ信号を再生する第１のＦＭ復調部と、第１のＦＭ復調部から出力されたＦＤＭ信号に含まれているＭ個の信号のうちから、互いに異なるＬ個の信号を抽出および分離して出力する分波部と、分波部から出力されたＬ個の信号のそれぞれに対応して設けられ、当該信号をそれぞれ所定の第２の周波数帯に周波数変換するＬ個の第２の周波数変換部と、Ｌ個の第２の周波数変換部のそれぞれに対応して設けられ、各第２の周波数変換部から出力された信号を伝送するＬ個の電気伝送部と、Ｌ個の電気伝送部のそれぞれに対応して設けられ、各電気伝送部によって伝送されてきた信号を復調し、ディジタルデータ信号を再生するＬ個のＤＳＬ復調部とを備える。
このような第３７ないし第４０の発明は、それぞれ、第１、第３、第５および第８の発明に、第２の電気信号を光信号に周波数多重して伝送する機能と、光伝送の前後でＦＭ変復調する機能を追加したものである。したがって、第３７ないし第４０の発明によれば、第１、第３、第５および第８の発明の効果に加えて、伝送品質が高く、ＤＳＬサービス以外のサービス等も提供できる拡張性および柔軟性に優れた伝送装置を提供することができる。
【００４１】
第４１の発明は、ＤＳＬサービスを提供するための伝送装置であって、Ｍ個のディジタルデータ信号のそれぞれに対応して設けられ、入力された各ディジタルデータ信号に基づきＤＳＬ変調信号を生成するＤＳＬ変調部と、ＤＳＬ変調部から出力されたＤＳＬ変調信号を所定の第１の周波数帯に周波数変換する第１の周波数変換部とを含み、互いに異なる第１の周波数帯の信号を生成するＭ個の変調部と、複数の第２の電気信号を多重化して、出力するＦＤＭ多重部と、ＦＤＭ多重部から出力された信号を元信号として、周波数変調信号を生成する第２のＦＭ変調部と、Ｍ個の変調部から出力されたＭ個の信号を多重化してＦＤＭ信号を生成すると共に、さらに第２のＦＭ変調部から出力された周波数変調信号を多重化する合波多重部と、合波多重部から出力された信号を光信号に変換する光変調部と、光変調部から出力された光信号を伝送する光伝送部と、光伝送部によって伝送されてきた光信号を電気信号に再変換する光検波部と、光検波部から出力された信号から、ＦＤＭ信号と周波数変調信号とを分離して出力する周波数分離部と、周波数分離部から出力されたＦＤＭ信号に含まれているＭ個の信号のうちからいずれかの信号を選択し、所定の第２の周波数帯に周波数変換する第２の周波数変換部と、第２の周波数変換部から出力された信号を伝送する電気伝送部と、電気伝送部によって伝送されてきた信号を復調し、ディジタルデータ信号を再生するＤＳＬ復調部と、周波数分離部から出力された周波数変調信号を復調して、元の信号を再生する第２のＦＭ復調部と、第２のＦＭ復調部から出力された信号を周波数分離して、複数の第２の電気信号を出力するＦＤＭ分離部とを備える。
このような第４１の発明によれば、複数チャンネルのディジタルデータ信号は、ＤＳＬ変調信号に変換され、さらに周波数変換されて多重化され、光伝送されると共に、第２の電気信号が周波数多重して伝送される。これにより、ＤＳＬサービス以外のサービス等も提供できる、拡張性および柔軟性に優れた伝送装置を提供することができる。
【００４２】
第４２の発明は、ＤＳＬサービスを用いてＭ個の第１の通信装置とＭ個の第２の通信装置との間で１対１の双方向通信を実現するために、第１の通信装置から対応する第２の通信装置に第１のディジタルデータ信号を伝送し、第２の通信装置から対応する第１の通信装置に第２のディジタルデータ信号を伝送する伝送装置であって、Ｍ個の第１の通信装置のそれぞれに対応して設けられ、各第１の通信装置から出力された第１のディジタルデータ信号に基づき第１のＤＳＬ変調信号を生成するＭ個の第１のＤＳＬ変調部と、Ｍ個の第１のＤＳＬ変調部のそれぞれに対応して設けられ、各第１のＤＳＬ変調部から出力された第１のＤＳＬ変調信号を、互いに異なる所定の第１の周波数帯に周波数変換するＭ個の第１の周波数変換部と、Ｍ個の第１の周波数変換部から出力されたＭ個の信号を多重化し、第１のＦＤＭ信号を出力する第１の合波部と、第１の合波部から出力された第１のＦＤＭ信号を光信号に変換する第１の光変調部と、第１の光変調部から出力された光信号を伝送する第１の光伝送部と、第１の光伝送部によって伝送されてきた光信号を電気信号である第１のＦＤＭ信号に再変換する第１の光検波部と、第１の光検波部から出力された第１のＦＤＭ信号に含まれているＭ個の信号を分離して出力する第１の分波部と、第１の分波部から出力されたＭ個の信号のそれぞれに対応して設けられ、分離された各信号を所定の第２の周波数帯に周波数変換することにより、第１のＤＳＬ変調信号を求めるＭ個の第２の周波数変換部と、Ｍ個の第２の周波数変換部のそれぞれに対応して設けられ、各第２の周波数変換部から出力された第１のＤＳＬ変調信号を伝送するＭ個の第１の電気伝送部と、Ｍ個の第１の電気伝送部のそれぞれに対応して設けられ、各第１の電気伝送部によって伝送されてきた信号を復調し、第１のディジタルデータ信号を再生して、対応する第２の通信装置に出力するＭ個の第１のＤＳＬ復調部と、Ｍ個の第２の通信装置のそれぞれに対応して設けられ、各第２の通信装置から出力された第２のディジタルデータ信号に基づき第２のＤＳＬ変調信号を生成するＭ個の第２のＤＳＬ変調部と、Ｍ個の第２のＤＳＬ変調部のそれぞれに対応して設けられ、各第２のＤＳＬ変調部から出力された第２のＤＳＬ変調信号を伝送するＭ個の第２の電気伝送部と、Ｍ個の第２の電気伝送部のそれぞれに対応して設けられ、各第２の電気伝送部によって伝送されてきた第２のＤＳＬ変調信号を、互いに異なる所定の第３の周波数帯に周波数変換するＭ個の第３の周波数変換部と、Ｍ個の第３の周波数変換部から出力されたＭ個の信号を多重化し、第２のＦＤＭ信号を出力する第２の合波部と、第２の合波部から出力された第２のＦＤＭ信号を光信号に変換する第２の光変調部と、第２の光変調部から出力された光信号を伝送する第２の光伝送部と、第２の光伝送部によって伝送されてきた光信号を電気信号である第２のＦＤＭ信号に再変換する第２の光検波部と、第２の光検波部から出力された第２のＦＤＭ信号に含まれているＭ個の信号を分離して出力する第２の分波部と、第２の分波部から出力されたＭ個の信号のそれぞれに対応して設けられ、分離された各信号を所定の第４の周波数帯に周波数変換するＭ個の第４の周波数変換部と、Ｍ個の第４の周波数変換部のそれぞれに対応して設けられ、各第４の周波数変換部から出力された信号を復調し、第２のディジタルデータ信号を再生して、対応するの第１の通信装置に出力するＭ個の第２のＤＳＬ復調部とを備える。
このような第４２の発明によれば、複数の加入者対に対応する送受信回路から出力される複数の双方向信号は、互いに異なる周波数帯に変換され、１つのＦＤＭ信号として伝送される。これにより、光伝送路の数を削減できるので、加入者対の数が多い場合でも、低コストな双方向伝送装置を提供することができる。
【００４３】
第４３の発明は、ＤＳＬサービスを用いてＭ個の第１の通信装置とＭ個の第２の通信装置との間で１対１の双方向通信を実現するために、第１の通信装置から対応する第２の通信装置に第１のディジタルデータ信号を伝送し、第２の通信装置から対応する第１の通信装置に第２のディジタルデータ信号を伝送する伝送装置であって、Ｍ個の第１の通信装置のそれぞれに対応して設けられ、各第１の通信装置から出力された第１のディジタルデータ信号に基づき第１のＤＳＬ変調信号を生成すると共に、入力された第２のＤＳＬ変調信号を復調することにより第２のディジタルデータ信号を再生して、対応する第１の通信装置に出力するＭ個の第１の変復調部と、Ｍ個の第１の変復調部のそれぞれに対応して設けられ、各第１の変復調部から出力された第１のＤＳＬ変調信号を出力すると共に、入力された第２のＤＳＬ変調信号を対応する第１の変復調部に出力するＭ個の第１の分離部と、Ｍ個の第１の分離部のそれぞれに対応して設けられ、各第１の分離部から出力された第１のＤＳＬ変調信号を、互いに異なる所定の第１の周波数帯に周波数変換するＭ個の第１の周波数変換部と、Ｍ個の第１の周波数変換部から出力されたＭ個の信号を多重化し、第１のＦＤＭ信号を出力する第１の合波部と、第１の合波部から出力された第１のＦＤＭ信号を光信号に変換する第１の光変調部と、第１の光変調部から出力された光信号を伝送する第１の光伝送部と、第１の光伝送部によって伝送されてきた光信号を電気信号である第１のＦＤＭ信号に再変換する第１の光検波部と、第１の光検波部から出力された第１のＦＤＭ信号に含まれているＭ個の信号を分離して出力する第１の分波部と、第１の分波部から出力されたＭ個の信号のそれぞれに対応して設けられ、分離された各信号を所定の第２の周波数帯に周波数変換するＭ個の第２の周波数変換部と、Ｍ個の第２の通信装置のそれぞれに対応して設けられた、Ｍ個の双方向電気伝送部と、Ｍ個の第２の周波数変換部のそれぞれに対応して設けられ、各第２の周波数変換部から出力された信号を対応する双方向電気伝送部に送出すると共に、当該双方向電気伝送部によって伝送されてきた第２のＤＳＬ変調信号を受信して出力するＭ個の第２の分離部と、Ｍ個の双方向電気伝送部のそれぞれに対応して設けられ、当該双方向電気伝送部によって伝送されてきた第１のＤＳＬ変調信号を復調することにより、第１のディジタルデータ信号を再生して、対応する第２の通信装置に出力すると共に、当該第２の通信装置から出力された第２のディジタルデータ信号に基づき第２のＤＳＬ変調信号を生成して、対応する双方向電気伝送部に送出するＭ個の第２の変復調部と、Ｍ個の第２の分離部のそれぞれに対応して設けられ、各第２の分離部から出力された第２のＤＳＬ変調信号を、互いに異なる所定の第３の周波数帯に周波数変換するＭ個の第３の周波数変換部と、Ｍ個の第３の周波数変換部から出力されたＭ個の信号を多重化し、第２のＦＤＭ信号を出力する第２の合波部と、第２の合波部から出力された第２のＦＤＭ信号を光信号に変換する第２の光変調部と、第２の光変調部から出力された光信号を伝送する第２の光伝送部と、第２の光伝送部によって伝送されてきた光信号を電気信号である第２のＦＤＭ信号に再変換する第２の光検波部と、第２の光検波部から出力された第２のＦＤＭ信号に含まれているＭ個の信号を分離して出力する第２の分波部と、第２の分波部から出力されたＭ個の信号のそれぞれに対応して設けられ、分離された各信号を所定の第４の周波数帯に周波数変換することにより、第２のＤＳＬ変調信号を求めて、対応する第１の分離部に出力するＭ個の第４の周波数変換部とを備える。
このような第４３の発明によれば、複数の加入者対に対応する送受信回路から出力される複数の双方向信号は、互いに異なる周波数帯に変換され、１つのＦＤＭ信号として伝送される。これにより、光伝送路の数を削減できるので、加入者対の数が多い場合でも、経済性に優れた双方向伝送装置を提供することができる。
【００４４】
第４４の発明は、ＤＳＬサービスを用いてＭ個の第１の通信装置とＭ個の第２の通信装置との間で１対１の双方向通信を実現するために、第１の通信装置から対応する第２の通信装置に第１のディジタルデータ信号を伝送し、第２の通信装置から対応する第１の通信装置に第２のディジタルデータ信号を伝送する伝送装置であって、Ｍ個の第１の通信装置のそれぞれに対応して設けられ、各第１の通信装置から出力された第１のディジタルデータ信号に基づき第１のＤＳＬ変調信号を生成すると共に、入力された第２のＤＳＬ変調信号を復調することにより第２のディジタルデータ信号を再生して、対応する第１の通信装置に出力するＭ個の第１の変復調部と、Ｍ個の第１の変復調部のそれぞれに対応して設けられ、各第１の変復調部から出力された第１のＤＳＬ変調信号を出力すると共に、入力された第２のＤＳＬ変調信号を対応する第１の変復調部に出力するＭ個の第１の分離部と、Ｍ個の第１の分離部のそれぞれに対応して設けられ、各第１の分離部から出力された第１のＤＳＬ変調信号を、互いに異なる所定の第１の周波数帯に周波数変換するＭ個の第１の周波数変換部と、Ｍ個の第１の周波数変換部から出力されたＭ個の信号を多重化し、第１のＦＤＭ信号を出力する第１の合波部と、第１の合波部から出力された第１のＦＤＭ信号を第１の光信号に変換する第１の光変調部と、光信号を双方向に伝送できる双方向光伝送部と、第１の光変調部から出力された第１の光信号を双方向光伝送部に送出すると共に、双方向光伝送部によって伝送されてきた第２の光信号を受け取り出力する第１の光合分波部と、双方向光伝送部によって伝送されてきた第１の光信号を受け取り出力すると共に、入力された第２の光信号を双方向光伝送部に送出する第２の光合分波部と、第２の光合分波部から出力された第１の光信号を電気信号である第１のＦＤＭ信号に再変換する第１の光検波部と、第１の光検波部から出力された第１のＦＤＭ信号に含まれているＭ個の信号を分離して出力する第１の分波部と、第１の分波部から出力されたＭ個の信号のそれぞれに対応して設けられ、分離された各信号を所定の第２の周波数帯に周波数変換することにより、第１のＤＳＬ変調信号を求めるＭ個の第２の周波数変換部と、Ｍ個の第２の通信装置のそれぞれに対応して設けられた、Ｍ個の双方向電気伝送部と、Ｍ個の第２の周波数変換部のそれぞれに対応して設けられ、各第２の周波数変換部から出力された第１のＤＳＬ変調信号を対応する双方向電気伝送部に送出すると共に、当該双方向電気伝送部によって伝送されてきた第２のＤＳＬ変調信号を受け取り出力するＭ個の第２の分離部と、Ｍ個の双方向電気伝送部のそれぞれに対応して設けられ、当該双方向電気伝送部によって伝送されてきた第１のＤＳＬ変調信号を復調することにより、第１のディジタルデータ信号を再生して、対応する第２の通信装置に出力すると共に、当該第２の通信装置から出力された第２のディジタルデータ信号に基づき第２のＤＳＬ変調信号を生成して、対応する双方向電気伝送部に送出するＭ個の第２の変復調部と、Ｍ個の第２の分離部のそれぞれに対応して設けられ、各第２の分離部から出力された第２のＤＳＬ変調信号を、互いに異なる所定の第３の周波数帯に周波数変換するＭ個の第３の周波数変換部と、Ｍ個の第３の周波数変換部から出力されたＭ個の信号を多重化し、第２のＦＤＭ信号を出力する第２の合波部と、第２の合波部から出力された第２のＦＤＭ信号を第２の光信号に変換し、第２の光合分波部に出力する第２の光変調部と、第１の光合分波部から出力された第２の光信号を電気信号である第２のＦＤＭ信号に再変換する第２の光検波部と、第２の光検波部から出力された第２のＦＤＭ信号に含まれているＭ個の信号を分離して出力する第２の分波部と、第２の分波部から出力されたＭ個の信号のそれぞれに対応して設けられ、分離された各信号を所定の第４の周波数帯に周波数変換することにより、第２のＤＳＬ変調信号を求めて、対応する第１の分離部に出力するＭ個の第４の周波数変換部とを備える。
【００４５】
このような第４４の発明によれば、複数の加入者対に対応する送受信回路から出力される複数の双方向信号は、互いに異なる周波数帯に変換され、１つのＦＤＭ信号として伝送される。また、双方向信号は、１本の光ファイバ上を方向多重して伝送される。これにより、光伝送路の数を削減さらに削減することができるので、加入者対の数が多い場合でも、より簡単な構成で、経済性に優れた双方向伝送装置を提供することができる。
【００４６】
第４５および第４６の発明は、それぞれ、第４３および第４４の発明において、第１の変復調部から出力される第１のＤＳＬ変調信号が占有する周波数帯と、第２の変復調部から出力される第２のＤＳＬ変調信号が占有する周波数帯とが、周波数軸上において互いに隣接することを特徴とする。
【００４７】
第４７および第４８の発明は、それぞれ、第４３および第４４の発明において、第１の変復調部から出力される第１のＤＳＬ変調信号が、第１の周波数変換部によって周波数変換されたときに得られる信号を、第１の信号とし、第１の変復調部に対応する第２の変復調部から出力される第２のＤＳＬ変調信号が、第２の周波数変換部によって周波数変換されたときに得られる信号を、第２の信号としたときに、第１の信号が占有する周波数帯と、第２の信号が占有する周波数帯とが、周波数軸上において互いに隣接することを特徴とする。
このような第４５ないし第４８の発明によれば、第１および第２のＤＳＬ変調信号（あるいは上記第１および第２の信号）が占有する周波数帯が周波数軸上で互いに隣接しているので、装置を構成する回路やデバイスの性能に起因して、双方向信号間のクロストークが生じた場合でも、伝送品質の劣化が少ない。よって、高品質な双方向伝送装置を提供することができる。
【００４８】
第４９および第５０の発明は、それぞれ、第４３および第４４の発明において、第１の変復調部から出力される第１のＤＳＬ変調信号が、第１の周波数変換部によって周波数変換されたときに得られる信号を、第１の信号とし、第１の変復調部に対応する第２の変復調部から出力される第２のＤＳＬ変調信号が、第２の周波数変換部によって周波数変換されたときに得られる信号を、第２の信号としたときに、第１の信号が占有する周波数帯と、第２の信号が占有する周波数帯とが、周波数軸上に交互に配置されることを特徴とする。
このような第４９および第５０の発明よれば、第１のＤＳＬ変調信号を周波数変換したときに得られる信号と第２のＤＳＬ変調信号を周波数変換したときに得られる信号とが、周波数軸上に交互に配置されるので、装置を構成する回路やデバイスの性能に起因して伝送歪が生じても、伝送品質の劣化が少ない。よって、高品質な双方向伝送装置を提供することができる。
【００４９】
【発明の実施の形態】
（第１の実施形態）
図１は、本発明の第１の実施形態に係る伝送装置の構成を示すブロック図である。図１において、本実施形態に係る伝送装置１は、ＤＳＬ変調部１０１と、光変調部１０２と、光伝送部１０３と、光検波部１０４と、電気伝送部１０５と、ＤＳＬ復調部１０６とを備えている。なお、ＤＳＬ変調部１０１と光変調部１０２とにより光送出設備１００１を、光検波部１０４により光終端装置１００２を、ＤＳＬ復調部１０６により加入者端末１００３を、それぞれ構成する。
【００５０】
図１に示す伝送装置１は、以下のように動作する。ＤＳＬ変調部１０１は、入力されたディジタルデータ信号を、ベースバンド帯域の所定形式のＤＳＬ変調信号に変換する。光変調部１０２は、このＤＳＬ変調信号を光信号に変換して、光伝送部１０３に送出する。光検波部１０４は、光伝送部１０３を介して伝送されてきた光信号を電気信号であるＤＳＬ変調信号に再変換して、電気伝送部１０５に送出する。ＤＳＬ復調部１０６は、電気伝送部１０５を介して伝送されてきたＤＳＬ変調信号を元のディジタルデータ信号に再変換する。
【００５１】
なお、ＤＳＬ変調部１０１から出力されるＤＳＬ変調信号は、ＤＭＴ（Ｄｉｓｃｒｅｔｅ　Ｍｕｌｔｉ　Ｔｏｎｅ　）変調方式による変調信号、ＣＡＰ（Ｃａｒｒｉｅｒｌｅｓｓ　Ａｍｐｌｉｔｕｄｅ／Ｐｈａｓｅ　ｍｏｄｕｌａｔｉｏｎ）変調方式による変調信号、あるいは、ＱＡＭ（Ｑｕａｄｒａｔｕｒｅ　Ａｍｐｌｉｔｕｄｅ　Ｍｏｄｕｌａｔｉｏｎ　）変調方式による変調信号などである。また、電気伝送部１０５は、ツイストペア線あるいは同軸線などで構成される。
【００５２】
以上のような伝送装置では、局設備から加入者端末に至る全伝送経路の大部分は、低損失な光ファイバで構成され、全伝送経路の末端部分（光終端装置から加入者端末まで）である加入者宅内配線部分は、ツイストペア等の電気線路で構成される。ＤＳＬ変調部は、光終端装置内ではなく、局に設置される光送出設備内に配置される。また、光伝送部と電気伝送部とを含んだ全伝送経路に亘り、ＤＳＬ変調信号が伝送される。このような構成を採用することにより、光終端装置を小型かつ低コストにすることができる。これにより、加入者宅の周辺設備の設置性向上と低コスト化とを同時に達成し、低コストで扱い易い伝送装置を提供することができる。
【００５３】
（第２の実施形態）
図２は、本発明の第２の実施形態に係る伝送装置の構成を示すブロック図である。図２において、本実施形態に係る伝送装置２は、変調部２０１と、光変調部１０２と、光伝送部１０３と、光検波部１０４と、電気伝送部１０５と、復調部２０６とを備えている。なお、変調部２０１と光変調部１０２とにより光送出設備１２００１を、光検波部１０４により光終端装置１００２を、復調部２０６により加入者端末２００３を、それぞれ構成する。
【００５４】
変調部２０１は、ＤＳＬ変調部１０１と、第１の周波数変換部２１０とを含む。復調部２０６は、第２の周波数変換部２１１と、ＤＳＬ復調部１０６とを含む。本実施形態は、前述の第１の実施形態と比べて、第１の周波数変換部２１０と第２の周波数変換部２１１とをさらに備える点で相違する。そこで、第１の実施形態と同様の働きをする構成要素に関しては、同一の番号を付してその説明を省略し、第１の実施形態との相違点を中心に説明する。
【００５５】
変調部２０１では、まず、ＤＳＬ変調部１０１が、入力されたディジタルデータ信号をＤＳＬ変調信号に変換する。次に、第１の周波数変換部２１０が、ＤＳＬ変調部１０１から出力されたＤＳＬ変調信号を、予め定められた第１の周波数帯を占める周波数変換信号に変換する。光変調部１０２は、この周波数変換信号を光信号に変換して、光伝送部１０３に送出する。光検波部１０４は、光伝送部１０３を介して伝送されてきた光信号を電気信号である周波数変換信号に再変換して、電気伝送部１０５に送出する。復調部２０６では、まず、第２の周波数変換部２１１が、電気伝送部１０５を介して伝送されてきた周波数変換信号を周波数変換し、元のＤＳＬ変調信号を再生する。ＤＳＬ復調部１０６は、再生されたＤＳＬ変調信号を元のディジタルデータ信号に再変換する。
【００５６】
なお、本実施形態では、第２の周波数変換部２１１は、ＤＳＬ変調部１０１から出力されるＤＳＬ変調信号の占有周波数帯と同じ周波数帯に周波数変換することにより、元のＤＳＬ変調信号を再生することとしたが、これに代えて、ＤＳＬ変調部１０１から出力されるＤＳＬ変調信号の占有周波数帯と異なる周波数帯に周波数変換することにより、異なる周波数帯を占めるＤＳＬ変調信号を再生することとしてもよい。
【００５７】
以上のような伝送装置は、ディジタルデータ信号をＤＳＬ変調信号に変換した後、さらに周波数変換し、その後に光伝送する。これにより、簡単な構成で、適宜選択した周波数帯を用いて光伝送を行う伝送装置を提供することができる。
【００５８】
（第３の実施形態）
図３は、本発明の第３の実施形態に係る伝送装置の構成を示すブロック図である。図３において、本実施形態に係る伝送装置３は、変調部２０１と、光変調部１０２と、光伝送部１０３と、光検波部１０４と、第２の周波数変換部８１１と、電気伝送部１０５と、ＤＳＬ復調部１０６とを備えている。なお、変調部２０１と光変調部１０２とにより光送出設備１２００１を、光検波部１０４と第２の周波数変換部８１１とにより光終端装置８００２を、ＤＳＬ復調部１０６により加入者端末１００３を、それぞれ構成する。本実施形態は、前述の第２の実施形態と比べて、第２の周波数変換部８１１（図２では第２の周波数変換部２１１）の挿入位置および接続関係の点で相違する。そこで、第２の実施形態と同様の働きをする構成要素に関しては、同一の番号を付してその説明を省略し、第２の実施形態との相違点を中心に説明する。
【００５９】
光送出設備１２００１は、入力されたディジタルデータ信号を、所定の第１の周波数帯の周波数変換信号に変換し、さらに光信号に変換して光伝送部１０３に送出する。光検波部１０４は、光伝送部１０３を介して伝送されてきた光信号を、電気信号である周波数変換信号に再変換する。第２の周波数変換部８１１は、光検波部１０４から出力された周波数変換信号を周波数変換して元のＤＳＬ変調信号を再生し、電気伝送部１０５に送出する。ＤＳＬ復調部１０６は、電気伝送部１０５を介して伝送されてきたＤＳＬ変調信号を元のディジタルデータ信号に再変換する。
【００６０】
なお、本実施形態においても、第２の実施形態と同様に、第２の周波数変換部８１１は、ＤＳＬ変調部１０１から出力されるＤＳＬ変調信号の占有周波数帯と異なる周波数帯に周波数変換することにより、異なる周波数帯を占めるＤＳＬ変調信号を再生することとしてもよい。
【００６１】
以上のような伝送装置は、ディジタルデータ信号をＤＳＬ変調信号に変換した後、さらに周波数変換し、その後に光伝送する。これにより、簡単な構成で、適宜選択した周波数帯を用いて光伝送を行う伝送装置を提供することができる。
【００６２】
（第４の実施形態）
図４は、本発明の第４の実施形態に係る伝送装置の構成を示すブロック図である。図４において、本実施形態に係る伝送装置４は、２つの変調部２０１と、合波部２０７と、光変調部１０２と、光伝送部１０３と、光検波部１０４と、電気伝送部１０５と、復調部２０６とを備えている。なお、２つの変調部２０１と合波部２０７と光変調部１０２とにより光送出設備２００１を、光検波部１０４により光終端装置１００２を、復調部２０６により加入者端末２００３を、それぞれ構成する。
【００６３】
本実施形態は、前述の第２の実施形態と比べて、複数の変調部２０１と合波部２０７とをさらに備え、第２の周波数変換部２１１が信号を選択する機能を有する点で相違する。そこで、第２の実施形態と同様の働きをする構成要素に関しては、同一の番号を付してその説明を省略し、第２の実施形態との相違点を中心に説明する。
【００６４】
変調部２０１は、光送出設備２００１に入力される複数（図４では２つ）のディジタルデータ信号のそれぞれに対応して設けられる。変調部２０１では、まず、ＤＳＬ変調部１０１が、各ディジタルデータ信号をＤＳＬ変調信号に変換する。次に、第１の周波数変換部２１０が、各ＤＳＬ変調部１０１から出力されたＤＳＬ変調信号を、予め定められた互いに異なる周波数帯を占める、第１および第２の周波数変換信号にそれぞれ変換する。
【００６５】
合波部２０７は、２つの変調部２０１から出力された第１および第２の周波数変換信号を周波数多重（ＦＤＭ：Ｆｒｅｑｕｅｎｃｙ　Ｄｉｖｉｓｉｏｎ　Ｍｕｌｔｉｐｌｅｘ）によって合成し、光変調部１０２に出力する。このように複数の信号が周波数多重された信号を、以下ではＦＤＭ信号と呼ぶ。光変調部１０２は、ＦＤＭ信号を光信号に変換して、光伝送部１０３に送出する。光検波部１０４は、光伝送部１０３を介して伝送されてきた光信号を電気信号であるＦＤＭ信号に再変換して、電気伝送部１０５に送出する。
【００６６】
復調部２０６では、まず、第２の周波数変換部２１１が、電気伝送部１０５を介して伝送されてきたＦＤＭ信号から、第１または第２の周波数変換信号のいずれかを選択して抽出し、周波数変換する。これにより、２つのＤＳＬ変調部１０１から出力されたＤＳＬ変調信号のいずれかが再生される。次に、ＤＳＬ復調部１０６が、再生されたＤＳＬ変調信号を元のディジタルデータ信号に再変換する。
【００６７】
なお、図４に示す伝送装置４は、２つの変調部２０１を備えることとしたが、伝送装置４が備える変調部２０１の個数は、２以上であれば任意でよい。
【００６８】
以上のような伝送装置は、複数チャンネルのディジタルデータ信号をＤＳＬ変調信号に変換した後、さらに周波数変換することによって多重化して光伝送する。これにより、簡単な構成で、多チャンネルの伝送装置を提供することができる。
【００６９】
（第５の実施形態）
図５は、本発明の第５の実施形態に係る伝送装置の構成を示すブロック図である。図５において、本実施形態に係る伝送装置５は、２つの変調部２０１と、合波部２０７と、光変調部１０２と、光伝送部１０３と、光検波部１０４と、第２の周波数変換部８１１と、電気伝送部１０５と、ＤＳＬ復調部１０６とを備えている。なお、２つの変調部２０１と合波部２０７と光変調部１０２とにより光送出設備２００１を、光検波部１０４と第２の周波数変換部８１１とにより光終端装置８００２を、ＤＳＬ復調部１０６により加入者端末１００３を、それぞれ構成する。
【００７０】
本実施形態は、前述の第４の実施形態と比べて、第２の周波数変換部８１１（図４では第２の周波数変換部２１１）の挿入位置および接続関係の点で相違する。そこで、第４の実施形態と同様の働きをする構成要素に関しては、同一の番号を付してその説明を省略し、第４の実施形態との相違点を中心に説明する。なお、図５では図面の簡略化のために詳細な構成を省略したが、変調部２０１は、第４の実施形態と同様に、ＤＳＬ変調部１０１と、第１の周波数変換部２１０とを含んでいる。以下に示す各実施形態においても、変調部２０１は、いずれも、ＤＳＬ変調部１０１と、第１の周波数変換部２１０とを含むものとする。
【００７１】
光送出設備２００１は、入力された複数（図５では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光検波部１０４は、光伝送部１０３を介して伝送されてきた光信号を、電気信号であるＦＤＭ信号に再変換する。第２の周波数変換部８１１は、光検波部１０４から出力されたＦＤＭ信号から、第１または第２の周波数変換信号のいずれかを選択して抽出し、周波数変換する。これにより、２つのＤＳＬ変調部１０１から出力されたＤＳＬ変調信号のいずれかが再生され、再生されたＤＳＬ信号は、電気伝送部１０５によって伝送される。ＤＳＬ復調部１０６は、電気伝送部１０５を介して伝送されてきたＤＳＬ変調信号を元のディジタルデータ信号に再変換する。
【００７２】
なお、第４の実施形態と同様に、図５に示す伝送装置５が備える変調部２０１の個数は、２以上であれば任意でよい。
【００７３】
以上のような伝送装置は、複数チャンネルのディジタルデータ信号をＤＳＬ変調信号に変換し、さらに周波数変換することによって多重化し、光伝送して、再度周波数変換した後、電気伝送する。これにより、復調部に従来のシステムと同様の装置および回路を使用できるので、より経済的な構成で、多チャンネルの伝送装置を提供することができる。
【００７４】
（第６の実施形態）
図６は、本発明の第６の実施形態に係る伝送装置の構成を示すブロック図である。図６において、本実施形態に係る伝送装置６は、２つの変調部２０１と、合波部２０７と、光変調部１０２と、光伝送部１０３と、光検波部１０４と、分岐部３０８と、２つの電気伝送部１０５と、２つの復調部２０６とを備えている。なお、２つの変調部２０１と合波部２０７と光変調部１０２とにより光送出設備２００１を、光検波部１０４と分岐部３０８とにより光終端装置３００２を、復調部２０６により加入者端末２００３を、それぞれ構成する。本実施形態は、前述の第４の実施形態と比べて、分岐部３０８をさらに備え、これに伴い、電気伝送部１０５および復調部２０６を複数個（図６では２つ）備える点で相違する。そこで、第４の実施形態と同様の働きをする構成要素に関しては、同一の番号を付してその説明を省略し、第４の実施形態との相違点を中心に説明する。
【００７５】
光送出設備２００１は、入力された複数（図６では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光検波部１０４は、光伝送部１０３を介して伝送されてきた光信号を、電気信号であるＦＤＭ信号に再変換する。分岐部３０８は、光検波部１０４において再変換されたＦＤＭ信号を２分岐させる。電気伝送部１０５は、分岐部３０８で分岐された各信号に対応して設けられている。分岐部３０８は、分岐させたＦＤＭ信号を各電気伝送部１０５に送出する。復調部２０６は、各電気伝送部１０５に対応して設けられている。復調部２０６は、各電気伝送部１０５を介して伝送されてきたＦＤＭ信号から、第１または第２の周波数変換信号を選択的に復調して、元のディジタルデータ信号に再変換する。
【００７６】
なお、図６に示す伝送装置６では、光送出設備２００１におけるディジタルデータ信号の多重化数、および、光終端装置３００２におけるＦＤＭ信号の分岐数は共に２であるとしたが、多重化数と分岐数とは、必ずしも一致する必要はなく、それぞれ２以外の数でもよい。
【００７７】
以上のような伝送装置は、複数チャンネルのディジタルデータ信号をＤＳＬ変調信号に変換し、さらに周波数変換することによって多重化し、光伝送した後、受信した信号を分岐させて複数の加入者端末に分配する。これにより、経済的な構成で、多くの加入者を収容できる大容量の伝送装置を提供することができる。
【００７８】
（第７の実施形態）
図７は、本発明の第７の実施形態に係る伝送装置の構成を示すブロック図である。図７において、本実施形態に係る伝送装置７は、２つの変調部２０１と、合波部２０７と、光変調部１０２と、光伝送部１０３と、光検波部１０４と、分波部４０８と、２つの電気伝送部１０５と、２つの復調部２０６とを備えている。なお、２つの変調部２０１と合波部２０７と光変調部１０２とにより光送出設備２００１を、光検波部１０４と分波部４０８とにより光終端装置４００２を、復調部２０６により加入者端末２００３を、それぞれ構成する。本実施形態の構成は、前述の第６の実施形態と比べて、分岐部３０８に代えて分波部４０８を備える点で相違する。そこで、第６の実施形態と同様の働きをする構成要素に関しては、同一の番号を付してその説明を省略し、第６の実施形態との相違点を中心に説明する。
【００７９】
光送出設備２００１は、入力された複数（図７では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光検波部１０４は、光伝送部１０３を介して伝送されてきた光信号を、電気信号であるＦＤＭ信号に再変換する。分波部４０８は、第１および第２の周波数変換信号を分離して出力する。電気伝送部１０５は、第１および第２の周波数変換信号のそれぞれに対応して設けられている。分波部４０８は、第１および第２の周波数変換信号を各電気伝送部１０５に送出する。復調部２０６は、各電気伝送部１０５に対応して設けられている。復調部２０６は、各電気伝送部１０５を介して伝送されてきた第１または第２の周波数変換信号を復調して、元のディジタルデータ信号に再変換する。
【００８０】
なお、本実施形態に係る伝送装置７は、分波部４０８からは第１および第２の周波数変換信号が分離して出力される点で、分岐部３０８からは第１および第２の周波数変換信号が多重化された状態で出力される第６の実施形態に係る伝送装置６と相違する。
【００８１】
また、図７に示す伝送装置７では、光送出設備２００１におけるディジタルデータ信号の多重化数、および、光終端装置４００２におけるＦＤＭ信号の分波数は共に２であるとしたが、多重化数と分波数とは、必ずしも一致する必要はなく、それぞれ２以外の数でもよい。
【００８２】
以上のような伝送装置は、複数の加入者に向けた各ディジタルデータ信号をＤＳＬ変調信号に変換し、さらに周波数変換することによって多重化し、光伝送した後、多重分離し、それぞれの加入者端末に伝送する。これにより、経済的な構成で、多くの加入者を収容できる伝送装置を提供することができる。
【００８３】
（第８の実施形態）
図８は、本発明の第８の実施形態に係る伝送装置の構成を示すブロック図である。図８において、本実施形態に係る伝送装置８は、２つの変調部２０１と、合波部２０７と、光変調部１０２と、光伝送部１０３と、光検波部１０４と、分波部４０８と、２つの第２の周波数変換部８１１と、２つの電気伝送部１０５と、２つのＤＳＬ復調部１０６とを備えている。なお、２つの変調部２０１と合波部２０７と光変調部１０２とにより光送出設備２００１を、光検波部１０４と分波部４０８と２つの第２の周波数変換部８１１とにより光終端装置５００２を、ＤＳＬ復調部１０６により加入者端末１００３を、それぞれ構成する。本実施形態は、前述の第７の実施形態と比べて、第２の周波数変換部８１１（図７では復調部２０６に含まれている）の挿入位置および接続関係の点で相違する。そこで、第７の実施形態と同様の働きをする構成要素に関しては、同一の番号を付してその説明を省略し、第７の実施形態との相違点を中心に説明する。
【００８４】
光送出設備２００１は、入力された複数（図８では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光検波部１０４は、光伝送部１０３を介して伝送されてきた光信号を、電気信号であるＦＤＭ信号に再変換する。分波部４０８は、第１および第２の周波数変換信号を分離して出力する。第２の周波数変換部８１１は、第１および第２の周波数変換信号のそれぞれに対応して設けられている。第２の周波数変換部８１１は、それぞれ第１または第２の周波数変換信号を周波数変換してＤＳＬ変調信号を再生し、電気伝送部１０５に送出する。ＤＳＬ復調部１０６は、電気伝送部１０５を介して伝送されてきた、再生されたＤＳＬ変調信号を元のディジタルデータ信号に再変換する。
【００８５】
なお、図８に示す伝送装置８では、光送出設備２００１におけるディジタルデータ信号の多重化数、および、光終端装置５００２におけるＦＤＭ信号の分波数は共に２であるとしたが、多重化数と分波数とは、必ずしも一致する必要はなく、それぞれ２以外の任意の数でもよい。
【００８６】
以上のような伝送装置は、複数の加入者に向けた各ディジタルデータ信号をＤＳＬ変調信号に変換し、さらに周波数変換することによって多重化し、光伝送した後、多重分離し、再度周波数変換して得られたＤＳＬ変調信号をそれぞれの加入者端末に電気伝送する。これにより、複数個備える必要がある復調部に従来のシステムと同様の装置および回路を使用できるので、より経済的な構成で、多くの加入者を収容できる伝送装置を提供することができる。
【００８７】
（第９の実施形態）
図９は、本発明の第９の実施形態に係る伝送装置の構成を示すブロック図である。図９において、本実施形態に係る伝送装置９は、ＤＳＬ変調部１０１と、第１のＦＭ変調部１３０１と、光変調部１０２と、光伝送部１０３と、光検波部１０４と、第１のＦＭ復調部１３０２と、電気伝送部１０５と、ＤＳＬ復調部１０６とを備えている。なお、ＤＳＬ変調部１０１と第１のＦＭ変調部１３０１と光変調部１０２とにより光送出設備１３００１を、光検波部１０４と第１のＦＭ復調部１３０２とにより光終端装置１３００２を、ＤＳＬ復調部１０６により加入者端末１００３を、それぞれ構成する。本実施形態は、前述の第１の実施形態と比べて、第１のＦＭ変調部１３０１と第１のＦＭ復調部１３０２とをさらに備える点で相違する。そこで、第１の実施形態と同様の働きをする構成要素に関しては、同一の番号を付してその説明を省略し、第１の実施形態との相違点を中心に説明する。
【００８８】
第１のＦＭ変調部１３０１は、ＤＳＬ変調部１０１から出力されたＤＳＬ変調信号を元信号として、周波数変調信号を生成する。光変調部１０２は、この周波数変調信号を光信号に変換し、光伝送部１０３に送出する。第１のＦＭ復調部１３０２は、光検波部１０４から出力された電気信号である周波数変調信号を復調してＤＳＬ変調信号を再生し、再生したＤＳＬ変調信号を電気伝送部１０５に送出する。
【００８９】
以上のような伝送装置では、ＤＳＬ変調信号を周波数変調した上で光伝送した後、復調してＤＳＬ変調信号を取り出す構成を採用することにより、ＦＭ伝送方式が有する特徴を利用して、光伝送時の雑音特性および多重反射耐性を改善することができる。これにより、伝送特性が改善され、品質の低い光伝送路を利用した場合でも伝送品質を確保できるので、高品質かつ経済的な伝送装置を提供することができる。
【００９０】
（第１０の実施形態）
図１０は、本発明の第１０の実施形態に係る伝送装置の構成を示すブロック図である。図１０において、本実施形態に係る伝送装置１０は、変調部２０１と、第１のＦＭ変調部１３０１と、光変調部１０２と、光伝送部１０３と、光検波部１０４と、第１のＦＭ復調部１３０２と、第２の周波数変換部８１１と、電気伝送部１０５と、ＤＳＬ復調部１０６とを備えている。なお、変調部２０１と第１のＦＭ変調部１３０１と光変調部１０２とにより光送出設備２０００１を、光検波部１０４と第１のＦＭ復調部１３０２と第２の周波数変換部８１１とにより光終端装置２０００２を、ＤＳＬ復調部１０６により加入者端末１００３を、それぞれ構成する。本実施形態は、前述の第３の実施形態と比べて、第１のＦＭ変調部１３０１と第１のＦＭ復調部１３０２とをさらに備える点で相違する。そこで、第３の実施形態と同様の働きをする構成要素に関しては、同一の番号を付してその説明を省略し、第３の実施形態との相違点を中心に説明する。
【００９１】
第１のＦＭ変調部１３０１は、変調部２０１から出力された信号を元信号として、周波数変調信号を生成する。光変調部１０２は、この周波数変調信号を光信号に変換し、光伝送部１０３に送出する。第１のＦＭ復調部１３０２は、光検波部１０４から出力された電気信号である周波数変調信号を復調して、変調部２０１の出力信号に相当する信号を再生し、再生した信号を第２の周波数変換部８１１に出力する。
【００９２】
以上のような伝送装置では、ＤＳＬ変調信号を周波数変換し、さらに周波数変調した上で光伝送した後、復調し周波数変換してＤＳＬ変調信号を取り出す構成を採用することにより、ＦＭ伝送方式が有する特徴を利用して、光伝送時の雑音特性および多重反射耐性を改善することができる。これにより、伝送特性が改善され、品質の低い光伝送路を利用した場合でも伝送品質を確保できるので、高品質かつ経済的な伝送装置を提供することができる。
【００９３】
（第１１の実施形態）
図１１は、本発明の第１１の実施形態に係る伝送装置の構成を示すブロック図である。図１１において、本実施形態に係る伝送装置１１は、２つの変調部２０１と、合波部２０７と、第１のＦＭ変調部１３０１と、光変調部１０２と、光伝送部１０３と、光検波部１０４と、第１のＦＭ復調部１３０２と、電気伝送部１０５と、復調部２０６とを備えている。なお、２つの変調部２０１と合波部２０７と第１のＦＭ変調部１３０１と光変調部１０２とにより光送出設備１４００１を、光検波部１０４と第１のＦＭ復調部１３０２とにより光終端装置１４００２を、復調部２０６により加入者端末２００３を、それぞれ構成する。本実施形態の構成は、前述の第４の実施形態と比べて、第１のＦＭ変調部１３０１と第１のＦＭ復調部１３０２とをさらに備える点で相違する。そこで、第４の実施形態と同様の働きをする構成要素に関しては、同一の番号を付してその説明を省略し、第４の実施形態との相違点を中心に説明する。
【００９４】
第１のＦＭ変調部１３０１は、合波部２０７から出力されたＦＤＭ信号を元信号として、周波数変調信号を生成する。光変調部１０２は、この周波数変調信号を光信号に変換し、光伝送部１０３に送出する。第１のＦＭ復調部１３０２は、光検波部１０４から出力された電気信号である周波数変調信号を復調してＦＤＭ信号を再生し、再生したＦＤＭ信号を電気伝送部１０５に送出する。
【００９５】
以上のような伝送装置では、多チャンネルのＤＳＬ変調信号に基づくＦＤＭ信号を周波数変調した上で光伝送した後、復調してＦＤＭ信号を取り出す構成を採用することにより、ＦＭ伝送方式が有する特徴を利用して、光伝送時の雑音特性および多重反射耐性を改善することができる。これにより、伝送特性が改善され、品質の低い光伝送路を利用した場合でも伝送品質を確保できるので、高品質かつ経済的な多チャンネルの伝送装置を提供することができる。
【００９６】
（第１２の実施形態）
図１２は、本発明の第１２の実施形態に係る伝送装置の構成を示すブロック図である。図１２において、本実施形態に係る伝送装置１２は、２つの変調部２０１と、合波部２０７と、第１のＦＭ変調部１３０１と、光変調部１０２と、光伝送部１０３と、光検波部１０４と、第１のＦＭ復調部１３０２と、第２の周波数変換部８１１と、電気伝送部１０５と、ＤＳＬ復調部１０６とを備えている。なお、２つの変調部２０１と合波部２０７と第１のＦＭ変調部１３０１と光変調部１０２とにより光送出設備１４００１を、光検波部１０４と第１のＦＭ復調部１３０２と第２の周波数変換部８１１とにより光終端装置２０００２を、ＤＳＬ復調部１０６により加入者端末１００３を、それぞれ構成する。本実施形態は、前述の第５の実施形態と比べて、第１のＦＭ変調部１３０１と第１のＦＭ復調部１３０２とをさらに備える点で相違する。そこで、第５の実施形態と同様の働きをする構成要素に関しては、同一の番号を付してその説明を省略し、第５の実施形態との相違点を中心に説明する。
【００９７】
第１のＦＭ変調部１３０１は、合波部２０７から出力されたＦＤＭ信号を元信号として、周波数変調信号を生成する。光変調部１０２は、この周波数変調信号を光信号に変換し、光伝送部１０３に送出する。第１のＦＭ復調部１３０２は、光検波部１０４から出力された電気信号である周波数変調信号を復調してＦＤＭ信号を再生し、第２の周波数変換部８１１に出力する。
【００９８】
以上のような伝送装置では、多チャンネルのＤＳＬ変調信号に基づくＦＤＭ信号を周波数変調した上で光伝送した後、復調してＦＤＭ信号を取り出す構成を採用することにより、ＦＭ伝送方式が有する特徴を利用して、光伝送時の雑音特性および多重反射耐性を改善することができる。これにより、伝送特性が改善され、品質の低い光伝送路を利用した場合でも伝送品質を確保できるので、高品質かつ経済的な多チャンネルの伝送装置を提供することができる。
【００９９】
（第１３の実施形態）
図１３は、本発明の第１３の実施形態に係る伝送装置の構成を示すブロック図である。図１３において、本実施形態に係る伝送装置１３は、２つの変調部２０１と、合波部２０７と、第１のＦＭ変調部１３０１と、光変調部１０２と、光伝送部１０３と、光検波部１０４と、第１のＦＭ復調部１３０２と、分波部４０８と、２つの第２の周波数変換部８１１と、２つの電気伝送部１０５と、２つのＤＳＬ復調部１０６とを備えている。なお、２つの変調部２０１と合波部２０７と第１のＦＭ変調部１３０１と光変調部１０２とにより光送出設備１４００１を、光検波部１０４と第１のＦＭ復調部１３０２と分波部４０８と２つの第２の周波数変換部８１１とにより光終端装置１５００２を、ＤＳＬ復調部１０６により加入者端末１００３を、それぞれ構成する。本実施形態は、前述の第８の実施形態と比べて、第１のＦＭ変調部１３０１と第１のＦＭ復調部１３０２とをさらに備える点で相違する。そこで、第８の実施形態と同様の働きをする構成要素に関しては、同一の番号を付してその説明を省略し、第８の実施形態との相違点を中心に説明する。
【０１００】
第１のＦＭ変調部１３０１は、合波部２０７から出力されたＦＤＭ信号を元信号として、周波数変調信号を生成する。光変調部１０２は、この周波数変調信号を光信号に変換し、光伝送部１０３に送出する。第１のＦＭ復調部１３０２は、光検波部１０４から出力された電気信号である周波数変調信号を復調してＦＤＭ信号を再生し、分波部４０８に出力する。
【０１０１】
以上のような伝送装置では、多チャンネルのＤＳＬ変調信号に基づくＦＤＭ信号を周波数変調した上で光伝送した後、復調してＦＤＭ信号を取り出す構成を採用することにより、ＦＭ伝送方式が有する特徴を利用して、光伝送時の雑音特性および多重反射耐性を改善することができる。これにより、伝送特性が改善され、品質の低い光伝送路を利用した場合でも伝送品質を確保できるので、高品質かつ経済的な多チャンネルの伝送装置を提供することができる。
【０１０２】
なお、上述したように、第９ないし第１３の実施形態に係る伝送装置は、それぞれ、前述の第１、第３ないし第５、および、第８の実施形態に係る伝送装置に第１のＦＭ変調部１３０１と第１のＦＭ復調部１３０２とを追加したものである。これと同様に、第２、第６および第７の実施形態に係る伝送装置についても、光変調部１０２の前段に第１のＦＭ変調部を、光検波部１０４の後段に第１のＦＭ復調部をそれぞれ接続することにより、同様の効果を奏する伝送装置を提供することができる。
【０１０３】
（第１４の実施形態）
図１４は、本発明の第１４の実施形態に係る伝送装置の構成を示すブロック図である。図１４において、本実施形態に係る伝送装置１４は、ＤＳＬ変調部１０１と、光変調部１０２と、光伝送部１０３と、光分配部９０８と、２つの光検波部１０４と、２つの電気伝送部１０５と、２つのＤＳＬ復調部１０６とを備えている。なお、ＤＳＬ変調部１０１と光変調部１０２とにより光送出設備１００１を、各光検波部１０４により２つの光終端装置１００２を、各ＤＳＬ復調部１０６により２つの加入者端末１００３を、それぞれ構成する。本実施形態は、前述の第１の実施形態と比べて、光分配部９０８をさらに備え、光分配部９０８の分配数に応じて、光検波部１０４と電気伝送部１０５とＤＳＬ復調部１０６とをいずれも複数個（図１４では２つ）備える点で相違する。そこで、第１の実施形態と同様の働きをする構成要素に関しては、同一の番号を付してその説明を省略し、第１の実施形態との相違点を中心に説明する。
【０１０４】
光送出設備１００１は、入力されたディジタルデータ信号をＤＳＬ変調信号に変換し、さらに光信号に変換して光伝送部１０３に送出する。光分配部９０８は、光伝送部１０３を介して伝送されてきた光信号を２分岐させる。光分配部９０８で２分岐した光信号のそれぞれに対応して、光検波部１０４と電気伝送部１０５とＤＳＬ復調部１０６とが設けられている。光検波部１０４は、光分配部９０８で分岐した光信号の１つを電気信号であるＤＳＬ変調信号に再変換し、電気伝送部１０５に送出する。ＤＳＬ復調部１０６は、電気伝送部１０５を介して伝送されてきたＤＳＬ変調信号を元のディジタルデータ信号に再変換する。
【０１０５】
なお、本実施形態に係る伝送装置１４は、光検波部１０４を通過する前の光信号を光分配部９０８で２分岐させる点で、光検波部１０４を通過した後の電気信号を分波部４０８で２分岐させる既出の伝送装置（例えば、第７の実施形態に係る伝送装置７）と相違する。
【０１０６】
以上のような伝送装置は、ディジタルデータ信号をＤＳＬ変調信号に変換し、光伝送した後、光信号を分岐させて、複数の加入者端末に分配する。これにより、経済的な構成で、より多くの加入者を収容できる大容量の伝送装置を提供することができる。
【０１０７】
（第１５の実施形態）
図１５は、本発明の第１５の実施形態に係る伝送装置の構成を示すブロック図である。図１５において、本実施形態に係る伝送装置１５は、変調部２０１と、光変調部１０２と、光伝送部１０３と、光分配部９０８と、２つの光検波部１０４と、２つの第２の周波数変換部８１１と、２つの電気伝送部１０５と、２つのＤＳＬ復調部１０６とを備えている。なお、変調部２０１と光変調部１０２とにより光送出設備１２００１を、各光検波部１０４とこれに接続される第２の周波数変換部８１１とにより２つの光終端装置８００２を、各ＤＳＬ復調部１０６により２つの加入者端末１００３を、それぞれ構成する。本実施形態は、前述の第３の実施形態と比べて、光分配部９０８をさらに備え、光分配部９０８の分配数に応じて、光検波部１０４と第２の周波数変換部８１１と電気伝送部１０５とＤＳＬ復調部１０６とをいずれも複数個（図１５では２つ）備える点とで相違する。そこで、第３の実施形態と同様の働きをする構成要素に関しては、同一の番号を付してその説明を省略し、第３の実施形態との相違点を中心に説明する。
【０１０８】
光送出設備１２００１は、入力されたディジタルデータ信号を、所定の第１の周波数帯の周波数変換信号に変換し、さらに光信号に変換して光伝送部１０３に送出する。光分配部９０８は、光伝送部１０３を介して伝送されてきた光信号を２分岐させる。光分配部９０８で２分岐した光信号のそれぞれに対応して、光検波部１０４と第２の周波数変換部８１１と電気伝送部１０５とＤＳＬ復調部１０６とが設けられている。光検波部１０４は、光分配部９０８で分岐した光信号の１つを電気信号である周波数変換信号に再変換し、第２の周波数変換部８１１に出力する。第２の周波数変換部８１１は、光検波部１０４から出力された周波数変換信号を周波数変換して元のＤＳＬ変調信号を再生し、電気伝送部１０５に送出する。ＤＳＬ復調部１０６は、電気伝送部１０５を介して伝送されてきたＤＳＬ変調信号を元のディジタルデータ信号に再変換する。
【０１０９】
以上のような伝送装置は、ディジタルデータ信号をＤＳＬ変調信号に変換した後、さらに周波数変換し、光伝送した後、光信号を分岐させて、複数の加入者端末に分配する。これにより、経済的な構成で、より多くの加入者を収容できる大容量の伝送装置を提供することができる。
【０１１０】
（第１６の実施形態）
図１６は、本発明の第１６の実施形態に係る伝送装置の構成を示すブロック図である。図１６において、本実施形態に係る伝送装置１６は、２つの変調部２０１と、合波部２０７と、光変調部１０２と、光伝送部１０３と、光分配部９０８と、２つの光検波部１０４と、２つの電気伝送部１０５と、２つの復調部２０６とを備えている。なお、２つの変調部２０１と合波部２０７と光変調部１０２とにより光送出設備２００１を、各光検波部１０４により２つの光終端装置１００２を、各復調部２０６により２つの加入者端末２００３を、それぞれ構成する。本実施形態は、前述の第４の実施形態と比べて、光分配部９０８をさらに備え、光分配部９０８の分配数に応じて、光検波部１０４と電気伝送部１０５と復調部２０６とをいずれも複数個（図１６では２つ）備える点で相違する。そこで、第４の実施形態と同様の働きをする構成要素に関しては、同一の番号を付してその説明を省略し、第４の実施形態との相違点を中心に説明する。
【０１１１】
光送出設備２００１は、入力された複数（図１６では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光分配部９０８は、光伝送部１０３を介して伝送されてきた光信号を２分岐させる。光分配部９０８で２分岐した光信号のそれぞれに対応して、光検波部１０４と電気伝送部１０５と復調部２０６とが設けられている。光検波部１０４は、光分配部９０８で分岐した光信号の１つを電気信号であるＦＤＭ信号に再変換し、得られたＦＤＭ信号を電気伝送部１０５に送出する。復調部２０６は、各電気伝送部１０５を介して伝送されてきたＦＤＭ信号から、第１または第２の周波数変換信号を選択的に復調して、元のディジタルデータ信号に再変換する。
【０１１２】
以上のような伝送装置は、複数チャンネルのディジタルデータ信号をＤＳＬ変調信号に変換し、さらに周波数変換することによって多重化し、光伝送した後、光信号を分岐させて、複数の加入者端末に分配する。これにより、経済的な構成で、より多くの加入者を収容できる大容量の伝送装置を提供することができる。
【０１１３】
（第１７の実施形態）
図１７は、本発明の第１７の実施形態に係る伝送装置の構成を示すブロック図である。図１７において、本実施形態に係る伝送装置１７は、２つの変調部２０１と、合波部２０７と、光変調部１０２と、光伝送部１０３と、光分配部９０８と、２つの光検波部１０４と、２つの第２の周波数変換部８１１と、２つの電気伝送部１０５と、２つのＤＳＬ復調部１０６とを備えている。なお、２つの変調部２０１と合波部２０７と光変調部１０２とにより光送出設備２００１を、各光検波部１０４とこれに接続される第２の周波数変換部８１１とにより２つの光終端装置８００２を、各ＤＳＬ復調部１０６により２つの加入者端末１００３を、それぞれ構成する。本実施形態は、前述の第５の実施形態と比べて、光分配部９０８をさらに備え、光分配部９０８の分配数に応じて、光検波部１０４と第２の周波数変換部８１１と電気伝送部１０５とＤＳＬ復調部１０６とをいずれも複数個（図１７では２つ）備える点で相違する。そこで、第５の実施形態と同様の働きをする構成要素に関しては、同一の番号を付してその説明を省略し、第５の実施形態との相違点を中心に説明する。
【０１１４】
光送出設備２００１は、入力された複数（図１７では２つ）のディジタルデータ信号を、それぞれ互いに異なる周波数帯のＤＳＬ変調信号に変換して多重化することによりＦＤＭ信号を生成した後、光信号に変換して光伝送部１０３に送出する。光分配部９０８は、光伝送部１０３を介して伝送されてきた光信号を２分岐させる。光分配部９０８で２分岐した光信号のそれぞれに対応して、光検波部１０４と第２の周波数変換部８１１と電気伝送部１０５とＤＳＬ復調部１０６とが設けられている。光検波部１０４は、光分配部９０８で分岐した光信号の１つを電気信号であるＦＤＭ信号に再変換する。第２の周波数変換部８１１は、光検波部１０４から出力されたＦＤＭ信号から、第１または第２の周波数変換信号のいずれかを選択して抽出し、周波数変換する。これにより、２つの変調部２０１に含まれる各ＤＳＬ変調部１０１から出力されたＤＳＬ変調信号のいずれかが再生され、再生されたＤＳＬ変調信号は、電気伝送部１０５によって伝送される。ＤＳＬ復調部１０６は、電気伝送部１０５を介して伝送されてきたＤＳＬ変調信号を元のディジタルデータ信号に再変換する。
【０１１５】
以上のような伝送装置は、複数チャンネルのディジタルデータ信号をＤＳＬ変調信号に変換し、さらに周波数変換することによって多重化し、光伝送した後、光信号を分岐させて、複数の加入者端末に分配する。これにより、経済的な構成で、より多くの加入者を収容できる大容量の伝送装置を提供することができる。
【０１１６】
なお、第１６および第１７の実施形態に係る伝送装置では、光分配部９０８から出力される光信号には、２つの変調部２０１から出力された、互いに異なる周波数帯の信号が周波数多重されている。この場合、２つの第２の周波数変換部（図１６では復調部２０６に含まれており、図１７では参照番号８１１が付されている）が、同じ周波数帯の信号を抽出して周波数変換することにより、同じＤＳＬ変調信号を再生してもよく、異なる周波数帯の信号を抽出して周波数変換することにより、異なるＤＳＬ変調信号を再生してもよい。後者の方法を採用した場合、例えば、一方のＤＳＬ復調部１０６からは第１のディジタルデータ信号が出力され、他方のＤＳＬ復調部１０６からは第２のディジタルデータ信号が出力されるようにすることができる。これにより、複数の加入者に対して互いに異なる情報を独立して伝送する伝送装置を提供することができる。
【０１１７】
また、第１４ないし第１７の実施形態に係る伝送装置では、光分配部９０８で光信号が２分岐するとしたが、光分配部９０８における光信号の分岐数は任意でよい。また、第１６および第１７の実施形態に係る伝送装置では、光送出設備２００１における多重化数と光分配部９０８における光信号の分岐数とは共に２であるとしたが、多重化数と分岐数とは必ずしも一致する必要はなく、それぞれ２以外の任意の数でもよい。
【０１１８】
（第１８の実施形態）
図１８は、本発明の第１８の実施形態に係る伝送装置の構成を示すブロック図である。図１８において、本実施形態に係る伝送装置１８は、ＤＳＬ変調部１０１と、周波数多重部１１１２と、光変調部１０２と、光伝送部１０３と、光検波部１０４と、周波数分離部１６１３と、電気伝送部１０５と、ＤＳＬ復調部１０６とを備えている。なお、ＤＳＬ変調部１０１と周波数多重部１１１２と光変調部１０２とにより光送出設備２３００１を、光検波部１０４と周波数分離部１６１３とにより光終端装置２３００２を、ＤＳＬ復調部１０６により加入者端末１００３を、それぞれ構成する。本実施形態は、前述の第１の実施形態と比べて、周波数多重部１１１２と周波数分離部１６１３とをさらに備える点で相違する。そこで、第１の実施形態と同様の働きをする構成要素に関しては、同一の番号を付してその説明を省略し、第１の実施形態との相違点を中心に説明する。
【０１１９】
周波数多重部１１１２は、ＤＳＬ変調部１０１から出力されたＤＳＬ変調信号に、このＤＳＬ変調信号と異なる周波数帯を占める第２の電気信号Ｓｘを周波数多重し、光変調部１０２に出力する。周波数分離部１６１３は、光検波部１０４から出力された電気信号から、ＤＳＬ変調信号と第２の電気信号Ｓｘとを周波数分離して出力する。周波数分離部１６１３で分離されたＤＳＬ変調信号は、電気伝送部１０５によって伝送される。ＤＳＬ復調部１０６は、電気伝送部１０５を介して伝送されてきたＤＳＬ変調信号を復調し、元のディジタルデータ信号を再生する。
【０１２０】
以上のような伝送装置は、ディジタルデータ信号をＤＳＬ変調信号に変換した後、光伝送すると共に、第２の電気信号をＤＳＬ変調信号に周波数多重して伝送する。これにより、ＤＳＬサービス以外のサービス等も提供できる、拡張性および柔軟性に優れた伝送装置を提供することができる。
【０１２１】
（第１９の実施形態）
図１９は、本発明の第１９の実施形態に係る伝送装置の構成を示すブロック図である。図１９において、本実施形態に係る伝送装置１９は、２つの変調部１１０１と、合波部２０７と、光変調部１０２と、光伝送部１０３と、光検波部１０４と、第２の周波数変換部８１１と、電気伝送部１０５と、第２の周波数分離部１１１３と、ＤＳＬ復調部１０６とを備えている。なお、２つの変調部１１０１と合波部２０７と光変調部１０２とにより光送出設備１１００１を、光検波部１０４と第２の周波数変換部８１１とにより光終端装置８００２を、第２の周波数分離部１１１３とＤＳＬ復調部１０６とにより加入者端末１１００３を、それぞれ構成する。
【０１２２】
変調部１１０１は、ＤＳＬ変調部１０１と、周波数多重部１１１２と、第１の周波数変換部２１０とを含む。本実施形態は、前述の第５の実施形態と比べて、周波数多重部１１１２と第２の周波数分離部１１１３とをさらに備える点とで相違する。そこで、第５の実施形態と同様の働きをする構成要素に関しては、同一の番号を付してその説明を省略し、第５の実施形態との相違点を中心に説明する。
【０１２３】
変調部１１０１は、光送出設備１１００１に入力される複数（図１９では２つ）のディジタルデータ信号のそれぞれに対応して設けられる。変調部１１０１では、まず、ＤＳＬ変調部１０１が、各ディジタルデータ信号をＤＳＬ変調信号に変換する。次に、周波数多重部１１１２が、ＤＳＬ変調信号と異なる周波数帯を占める第２の電気信号ＳｘをＤＳＬ変調信号に周波数多重する。さらに、第１の周波数変換部２１０が、周波数多重部１１１２から出力された多重信号を、予め定められた互いに異なる周波数帯を占める、第１および第２の周波数変換信号にそれぞれ変換する。
【０１２４】
合波部２０７は、２つの変調部１１０１から出力された第１および第２の周波数変換信号を周波数多重によって合成し、ＦＤＭ信号を出力する。光変調部１０２は、ＦＤＭ信号を光信号に変換して、光伝送部１０３に送出する。光検波部１０４は、光伝送部１０３を介して伝送されてきた光信号を電気信号であるＦＤＭ信号に再変換する。第２の周波数変換部８１１は、光検波部１０４から出力されたＦＤＭ信号から、第１または第２の周波数変換信号のいずれかを選択して抽出し、ベースバンド帯域に周波数変換する。第２の周波数変換部８１１は、周波数変換された信号を、電気伝送部１０５に送出する。第２の周波数分離部１１１３は、電気伝送部１０５を介して伝送されてきた信号から、ＤＳＬ変調信号と第２の電気信号Ｓｘとを周波数分離する。ＤＳＬ復調部１０６は、ＤＳＬ変調信号を元のディジタルデータ信号に再変換する。
【０１２５】
以上のような伝送装置は、複数チャンネルのディジタルデータ信号をＤＳＬ変調信号に変換し、さらに周波数変換することによって多重化し、光伝送すると共に、第２の電気信号をＤＳＬ変調信号に多重化して光伝送する。これにより、ＤＳＬサービス以外のサービス等も提供できる、拡張性および柔軟性に優れた伝送装置を提供することができる。
【０１２６】
（第２０の実施形態）
図２０は、本発明の第２０の実施形態に係る伝送装置の構成を示すブロック図である。図２０において、本実施形態に係る伝送装置２０は、変調部２０１と、周波数多重部１１１２と、光変調部１０２と、光伝送部１０３と、光検波部１０４と、周波数分離部１６１３と、第２の周波数変換部８１１と、電気伝送部１０５と、ＤＳＬ復調部１０６とを備えている。なお、変調部２０１と周波数多重部１１１２と光変調部１０２とにより光送出設備２４００１を、光検波部１０４と周波数分離部１６１３と第２の周波数変換部８１１とにより光終端装置２４００２を、ＤＳＬ復調部１０６により加入者端末１００３を、それぞれ構成する。本実施形態は、前述の第３の実施形態と比べて、周波数多重部１１１２と周波数分離部１６１３とをさらに備える点で相違する。そこで、第３の実施形態と同様の働きをする構成要素に関しては、同一の番号を付してその説明を省略し、第３の実施形態との相違点を中心に説明する。
【０１２７】
周波数多重部１１１２は、変調部２０１から出力された周波数変換信号に、この周波数変換信号と異なる周波数帯を占める第２の電気信号Ｓｘを周波数多重し、光変調部１０２に出力する。周波数分離部１６１３は、光検波部１０４から出力された電気信号から、周波数変換信号と第２の電気信号Ｓｘとを周波数分離して出力する。第２の周波数変換部８１１は、周波数分離部１６１３から出力された周波数変換信号を周波数変換して元のＤＳＬ変調信号を再生し、電気伝送部１０５に送出する。
【０１２８】
以上のような伝送装置は、ディジタルデータ信号をＤＳＬ変調信号に変換し、さらに周波数変換した後、光伝送すると共に、第２の電気信号を周波数多重して伝送する。これにより、ＤＳＬサービス以外のサービス等も提供できる、拡張性および柔軟性に優れた伝送装置を提供することができる。
【０１２９】
（第２１の実施形態）
図２１は、本発明の第２１の実施形態に係る伝送装置の構成を示すブロック図である。図２１において、本実施形態に係る伝送装置２１は、２つの変調部２０１と、合波多重部１８０７と、光変調部１０２と、光伝送部１０３と、光検波部１０４と、周波数分離部１６１３と、第２の周波数変換部８１１と、電気伝送部１０５と、ＤＳＬ復調部１０６とを備えている。なお、２つの変調部２０１と合波多重部１８０７と光変調部１０２とにより光送出設備１６００１を、光検波部１０４と周波数分離部１６１３と第２の周波数変換部８１１とにより光終端装置１６００２を、ＤＳＬ復調部１０６により加入者端末１００３を、それぞれ構成する。本実施形態は、前述の第５の実施形態と比べて、合波部２０７に代えて合波多重部１８０７を備え、周波数分離部１６１３をさらに備える点で相違する。そこで、第５の実施形態と同様の働きをする構成要素に関しては、同一の番号を付してその説明を省略し、第５の実施形態との相違点を中心に説明する。
【０１３０】
合波多重部１８０７は、まず、２つの変調部２０１から出力された第１および第２の周波数変換信号を周波数多重によって合成してＦＤＭ信号を求める。次に、合波多重部１８０７は、さらに、第１および第２の周波数変換信号と異なる周波数帯を占める第２の電気信号ＳｘをＦＤＭ信号に周波数多重し、求めた信号を光変調部１０２に出力する。
【０１３１】
周波数分離部１６１３は、光検波部１０４から出力された電気信号から、ＦＤＭ信号と第２の電気信号Ｓｘとを周波数分離して出力する。第２の周波数変換部８１１は、光検波部１０４から出力されたＦＤＭ信号から、第１または第２の周波数変換信号のいずれかを選択して抽出し、周波数変換する。これにより、２つの変調部２０１に含まれる各ＤＳＬ変調部１０１から出力されたＤＳＬ変調信号のいずれかが再生され、再生されたＤＳＬ信号は、電気伝送部１０５によって伝送される。
【０１３２】
以上のような伝送装置は、複数チャンネルのディジタルデータ信号をＤＳＬ変調信号に変換し、さらに周波数変換することによって多重化し、光伝送すると共に、第２の電気信号を周波数多重して伝送する。これにより、ＤＳＬサービス以外のサービス等も提供できる、拡張性および柔軟性に優れた伝送装置を提供することができる。
【０１３３】
（第２２の実施形態）
図２２は、本発明の第２２の実施形態に係る伝送装置の構成を示すブロック図である。図２２において、本実施形態に係る伝送装置２２は、２つの変調部２０１と、合波多重部１８０７と、光変調部１０２と、光伝送部１０３と、光検波部１０４と、周波数分離部１６１３と、分波部４０８と、２つの第２の周波数変換部８１１と、２つの電気伝送部１０５と、２つのＤＳＬ復調部１０６とを備えている。なお、２つの変調部２０１と合波多重部１８０７と光変調部１０２とにより光送出設備１６００１を、光検波部１０４と周波数分離部１６１３と分波部４０８と２つの第２の周波数変換部８１１とにより光終端装置２５００２を、各ＤＳＬ復調部１０６により２つの加入者端末１００３を、それぞれ構成する。本実施形態は、前述の第８の実施形態と比べて、合波部２０７に代えて合波多重部１８０７を備え、周波数分離部１６１３をさらに備える点で相違する。そこで、第８の実施形態と同様の働きをする構成要素に関しては、同一の番号を付してその説明を省略し、第８の実施形態との相違点を中心に説明する。
【０１３４】
合波多重部１８０７は、まず、２つの変調部２０１から出力された第１および第２の周波数変換信号を周波数多重によって合成してＦＤＭ信号を求める。次に、合波多重部１８０７は、さらに、第１および第２の周波数変換信号と異なる周波数帯を占める第２の電気信号ＳｘをＦＤＭ信号に周波数多重し、求めた信号を光変調部１０２に出力する。周波数分離部１６１３は、光検波部１０４から出力された電気信号から、ＦＤＭ信号と第２の電気信号Ｓｘとを周波数分離して出力する。周波数分離部１６１３から出力されたＦＤＭ信号は、分波部４０８で２分岐し、２つの第２の周波数変換部８１１に入力される。
【０１３５】
以上のような伝送装置は、複数チャンネルのディジタルデータ信号をＤＳＬ変調信号に変換し、さらに周波数変換することによって多重化し、光伝送すると共に、第２の電気信号を周波数多重し伝送する。これにより、ＤＳＬサービス以外のサービス等も提供できる拡張性および柔軟性に優れた伝送装置を提供することができる。
【０１３６】
（第２３の実施形態）
図２３は、本発明の第２３の実施形態に係る伝送装置の構成を示すブロック図である。図２３において、本実施形態に係る伝送装置２３は、ＤＳＬ変調部１０１と、第１のＦＭ変調部１３０１と、周波数多重部１１１２と、光変調部１０２と、光伝送部１０３と、光検波部１０４と、周波数分離部１６１３と、第１のＦＭ復調部１３０２と、電気伝送部１０５と、ＤＳＬ復調部１０６とを備えている。なお、ＤＳＬ変調部１０１と第１のＦＭ変調部１３０１と周波数多重部１１１２と光変調部１０２とにより光送出設備２６００１を、光検波部１０４と周波数分離部１６１３と第１のＦＭ復調部１３０２とにより光終端装置２６００２を、ＤＳＬ復調部１０６により加入者端末１００３を、それぞれ構成する。本実施形態は、前述の第９の実施形態に比べて、周波数多重部１１１２と周波数分離部１６１３とをさらに備える点で相違する。そこで、第９の実施形態と同様の働きをする構成要素に関しては、同一の番号を付してその説明を省略し、第９の実施形態との相違点を中心に説明する。
【０１３７】
周波数多重部１１１２は、第１のＦＭ変調部１３０１から出力された周波数変調信号に、この周波数変調信号と異なる周波数帯を占める第２の電気信号Ｓｘを周波数多重し、光変調部１０２に出力する。周波数分離部１６１３は、光検波部１０４から出力された電気信号から、周波数変調信号と第２の電気信号Ｓｘとを周波数分離して出力する。第１のＦＭ復調部１３０２は、周波数分離部１６１３から出力された周波数変調信号を復調してＤＳＬ変調信号を再生し、再生したＤＳＬ変調信号を電気伝送部１０５に送出する。
【０１３８】
以上のような伝送装置は、ディジタルデータ信号をＤＳＬ変調信号に変換し、周波数変調を施した後、光伝送すると共に、第２の電気信号を周波数多重して伝送する。これにより、ＤＳＬサービス以外のサービス等も提供できる、拡張性および柔軟性に優れた伝送装置を提供することができる。
【０１３９】
（第２４の実施形態）
図２４は、本発明の第２４の実施形態に係る伝送装置の構成を示すブロック図である。図２４において、本実施形態に係る伝送装置２４は、変調部２０１と、第１のＦＭ変調部１３０１と、周波数多重部１１１２と、光変調部１０２と、光伝送部１０３と、光検波部１０４と、周波数分離部１６１３と、第１のＦＭ復調部１３０２と、第２の周波数変換部８１１と、電気伝送部１０５と、ＤＳＬ復調部１０６とを備えている。なお、変調部２０１と第１のＦＭ変調部１３０１と周波数多重部１１１２と光変調部１０２とにより光送出設備２７００１を、光検波部１０４と周波数分離部１６１３と第１のＦＭ復調部１３０２と第２の周波数変換部８１１とにより光終端装置１７００２を、ＤＳＬ復調部１０６により加入者端末１００３を、それぞれ構成する。本実施形態は、前述の第１０の実施形態に比べて、周波数多重部１１１２と周波数分離部１６１３とをさらに備える点で相違する。そこで、第１０の実施形態と同様の働きをする構成要素に関しては、同一の番号を付してその説明を省略し、第１０の実施形態との相違点を中心に説明する。
【０１４０】
周波数多重部１１１２は、第１のＦＭ変調部１３０１から出力された周波数変調信号に、この周波数変調信号と異なる周波数帯を占める第２の電気信号Ｓｘを周波数多重し、光変調部１０２に出力する。周波数分離部１６１３は、光検波部１０４から出力された電気信号から、周波数変調信号と第２の電気信号Ｓｘとを周波数分離して出力する。第１のＦＭ復調部１３０２は、周波数分離部１６１３から出力された周波数変調信号を復調して、変調部２０１からの出力信号に相当する信号を再生し、第２の周波数変換部８１１に出力する。
【０１４１】
以上のような伝送装置は、ディジタルデータ信号をＤＳＬ変調信号に変換し、さらに周波数変換して、周波数変調を施した後、光伝送すると共に、第２の電気信号を周波数多重して伝送する。これにより、ＤＳＬサービス以外のサービス等も提供できる、拡張性および柔軟性に優れた伝送装置を提供することができる。
【０１４２】
（第２５の実施形態）
図２５は、本発明の第２５の実施形態に係る伝送装置の構成を示すブロック図である。図２５において、本実施形態に係る伝送装置２５は、２つの変調部２０１と、合波部２０７と、第１のＦＭ変調部１３０１と、周波数多重部１１１２と、光変調部１０２と、光伝送部１０３と、光検波部１０４と、周波数分離部１６１３と、第１のＦＭ復調部１３０２と、第２の周波数変換部８１１と、電気伝送部１０５と、ＤＳＬ復調部１０６とを備えている。なお、２つの変調部２０１と合波部２０７と第１のＦＭ変調部１３０１と周波数多重部１１１２と光変調部１０２とにより光送出設備１７００１を、光検波部１０４と周波数分離部１６１３と第１のＦＭ復調部１３０２と第２の周波数変換部８１１とにより光終端装置１７００２を、ＤＳＬ復調部１０６により加入者端末１００３を、それぞれ構成する。本実施形態は、前述の第１２の実施形態と比べて、周波数多重部１１１２と周波数分離部１６１３とをさらに備える点で相違する。そこで、第１２の実施形態と同様の働きをする構成要素に関しては、同一の番号を付してその説明を省略し、第１２の実施形態との相違点を中心に説明する。
【０１４３】
周波数多重部１１１２は、第１のＦＭ変調部１３０１から出力された周波数変調信号に、この周波数変調信号と異なる周波数帯を占める第２の電気信号Ｓｘを周波数多重し、光変調部１０２に出力する。周波数分離部１６１３は、光検波部１０４から出力された電気信号から、周波数変調信号と第２の電気信号Ｓｘとを周波数分離して出力する。第１のＦＭ復調部１３０２は、周波数分離部１６１３から出力された周波数変調信号を復調して、元のＦＤＭ信号を再生する。
【０１４４】
以上のような伝送装置は、複数チャンネルのディジタルデータ信号をＤＳＬ変調信号に変換し、さらに周波数変換することによって多重化し、周波数変調を施した後、光伝送すると共に、第２の電気信号を周波数多重して伝送する。これにより、ＤＳＬサービス以外のサービス等も提供できる、拡張性および柔軟性に優れた伝送装置を提供することができる。
【０１４５】
（第２６の実施形態）
図２６は、本発明の第２６の実施形態に係る伝送装置の構成を示すブロック図である。図２６において、本実施形態に係る伝送装置は、２つの変調部２０１と、合波部２０７と、第１のＦＭ変調部１３０１と、周波数多重部１１１２と、光変調部１０２と、光伝送部１０３と、光検波部１０４と、周波数分離部１６１３と、第１のＦＭ復調部１３０２と、分波部４０８と、２つの第２の周波数変換部８１１と、２つの電気伝送部１０５と、２つのＤＳＬ復調部１０６とを備えている。なお、２つの変調部２０１と合波部２０７と第１のＦＭ変調部１３０１と周波数多重部１１１２と光変調部１０２とにより光送出設備１７００１を、光検波部１０４と周波数分離部１６１３と第１のＦＭ復調部１３０２と分波部４０８と２つの第２の周波数変換部８１１とにより光終端装置２８００２を、各ＤＳＬ復調部１０６により２つの加入者端末１００３を、それぞれ構成する。本実施形態は、前述の第１３の実施形態と比較して、周波数多重部１１１２と周波数分離部１６１３とをさらに備える点で相違する。そこで、第１３の実施形態と同様の働きをする構成要素に関しては、同一の番号を付してその説明を省略し、第１３の実施形態との相違点を中心に説明する。
【０１４６】
周波数多重部１１１２は、第１のＦＭ変調部１３０１から出力された周波数変調信号に、この周波数変調信号と異なる周波数帯を占める第２の電気信号Ｓｘを周波数多重し、光変調部１０２に出力する。周波数分離部１６１３は、光検波部１０４から出力された電気信号から、周波数変調信号と第２の電気信号Ｓｘとを周波数分離して出力する。第１のＦＭ復調部１３０２は、周波数分離部１６１３から出力された周波数変調信号を復調して、元のＦＤＭ信号を再生する。
【０１４７】
以上のような伝送装置は、複数チャンネルのディジタルデータ信号をＤＳＬ変調信号に変換し、さらに周波数変換することによって多重化し、周波数変調を施した後、光伝送すると共に、第２の電気信号を周波数多重して伝送する。これにより、ＤＳＬサービス以外のサービス等も提供できる、拡張性および柔軟性に優れた伝送装置を提供することができる。
【０１４８】
（第２７の実施形態）
図２７は、本発明の第２７の実施形態に係る伝送装置の構成を示すブロック図である。図２７において、本実施形態に係る伝送装置２７は、２つの変調部２０１と、合波多重部１８０７と、光変調部１０２と、光伝送部１０３と、光検波部１０４と、周波数分離部１６１３と、第２の周波数変換部８１１と、電気伝送部１０５と、ＤＳＬ復調部１０６と、ＦＤＭ多重部１８０１と、第２のＦＭ変調部１８０２と、第２のＦＭ復調部１８０３と、ＦＤＭ分離部１８０４とを備えている。なお、２つの変調部２０１と合波多重部１８０７と光変調部１０２とにより光送出設備１６００１を、光検波部１０４と周波数分離部１６１３と第２の周波数変換部８１１とにより光終端装置１６００２を、ＤＳＬ復調部１０６により加入者端末１００３を、それぞれ構成する。本実施形態は、前述の第２１の実施形態と比べて、ＦＤＭ多重部１８０１と第２のＦＭ変調部１８０２と第２のＦＭ復調部１８０３とＦＤＭ分離部１８０４とをさらに備える点で相違する。そこで、第２１の実施形態と同様の働きをする構成要素に関しては、同一の番号を付してその説明を省略し、第２１の実施形態との相違点を中心に説明する。
【０１４９】
ＦＤＭ多重部１８０１は、複数の第２の電気信号Ｓ１〜Ｓｎを周波数多重して、信号Ｓｍを出力する。第２のＦＭ変調部１８０２は、信号Ｓｍを元信号として周波数変調を行い、周波数変調信号Ｓｆを出力する。合波多重部１８０７は、２つの変調部２０１から出力された第１および第２の周波数変換信号を周波数多重してＦＤＭ信号を生成すると共に、さらに、第２のＦＭ変調部１８０２から出力された周波数変調信号Ｓｆとを周波数多重して、光変調部１０２に出力する。
【０１５０】
周波数分離部１６１３は、光検波部１０４から出力された電気信号から、周波数変調信号Ｓｆとその他のＦＤＭ信号とを周波数分離し、前者を第２のＦＭ復調部１８０３に、後者を第２の周波数変換部８１１に出力する。第２のＦＭ復調部１８０３は、周波数変調信号Ｓｆを復調し、元の信号Ｓｍを再生する。ＦＤＭ分離部１８０４は、信号Ｓｍを周波数分離し、第２の電気信号Ｓ１〜Ｓｎを出力する。
【０１５１】
以上のような伝送装置は、複数チャンネルのディジタルデータ信号をＤＳＬ変調信号に変換し、さらに周波数変換することによって多重化し、光伝送すると共に、第２の電気信号を周波数多重して伝送する。これにより、ＤＳＬサービス以外のサービス等も提供できる、拡張性および柔軟性に優れた伝送装置を提供することができる。
【０１５２】
なお、第１８ないし第２７の実施形態に係る伝送装置によって伝送される第２の電気信号ＳｘおよびＳ１〜Ｓｎの種類は、例えば、ベースバンドディジタルデータ信号であってもよく、音声信号等のベースバンド信号あるいは低周波信号であってもよく、テレビジョン映像信号のような搬送波変調信号あるいは高周波信号であってもよい。
【０１５３】
また、第２ないし第４の実施形態については変調部２０１の詳細な構成を図示して説明した。これと同様に、他の実施形態に係る伝送装置に含まれる変調部２０１も、入力されたディジタルデータ信号に基づきＤＳＬ変調信号を生成するＤＳＬ変調部と、ＤＳＬ変調部から出力されたＤＳＬ変調信号を互いに異なる周波数帯に変換する周波数変換部とを含むこととしてもよい。このような構成を採用することにより、複数の変調部を備えた伝送装置を構築するときに、複数のＤＳＬ変調部を共通の装置あるいは回路を用いて構築できるので、より経済的な構成で、多くの加入者を収容できる伝送装置を提供することができる。
【０１５４】
また、分岐部３０８、分波部４０８および光分配部９０８における分岐数あるいは分波数は、加入者端末数に相当する。この加入者端末数は、伝送装置の典型的な使用形態では、変調部２０１および１１０１の個数、すなわち、合波部２０７における周波数変換信号の多重数と一致することが望ましい。ただし、伝送装置の使用形態によっては、加入者端末数が、合波部２０７における多重数と一致せず、それより多くても、少なくてもよい場合もある。
【０１５５】
（第２８の実施形態）
図２８は、本発明の第２８の実施形態に係る伝送装置の構成を示すブロック図である。本実施形態に係る伝送装置は、前述までの第１ないし第２７の実施形態に係る伝送装置を双方向通信サービスに適用した構成に相当する。図２８は、２組の加入者対間の双方向通信サービスを提供する場合の例を示したものである。図２８において、本実施形態に係る伝送装置２８は、第１の送受信回路３０００１と、第２の送受信回路３０００２と、第１の周波数変換部２１０１と、第２の周波数変換部２１１２と、第３の周波数変換部２１０３と、第４の周波数変換部２１１４と、第１の電気伝送部３０５１と、第２の電気伝送部３０５２とをそれぞれ２組ずつ備え、さらに、第１の合波部２０７１と、第２の合波部２０７２と、第１の光変調部１０２１と、第２の光変調部１０２２と、第１の光伝送部１０３１と、第２の光伝送部１０３２と、第１の光検波部１０４１と、第２の光検波部１０４２と、第１の分波部４０８１と、第２の分波部４０８２とを備えている。第１の送受信回路３０００１は、第１のＤＳＬ変調部１０１１と、第２のＤＳＬ復調部１０６２とを含み、第２の送受信回路３０００２は、第１のＤＳＬ復調部１０６１と、第２のＤＳＬ変調部１０１２とをそれぞれ含んでいる。なお、２つの第１の送受信回路３０００１と、２つの第１の周波数変換部２１０１と、２つの第４の周波数変換部２１１４と、第１の合波部２０７１と、第２の分波部４０８２と、第１の光変調部１０２１と、第２の光検波部１０４２とにより光送受信設備４０００１を、第１の光検波部１０４１と、第２の光変調部１０２２と、第１の分波部４０８１と、第２の合波部２０７２と、２つの第２の周波数変換部２１１２と、２つの第３の周波数変換部２１０３とにより光終端装置４０００２を、各第２の送受信回路３０００２により加入者端末４０００３を、それぞれ構成する。
【０１５６】
図２８に示す伝送装置２８は、以下のように動作する。なお、以下の説明では、図２８に示す第１のディジタルデータＵＤａおよびＵＤｂを第１のディジタルデータＵＤと呼び、第２のディジタルデータＤＤａおよびＤＤｂを第２のディジタルデータＤＤと呼ぶ。第１の送受信回路３０００１と第２の送受信回路３０００２とは、複数の加入者対に対応して、加入者対の数と同数設けられる。第１の送受信回路３０００１に含まれる第１のＤＳＬ変調部１０１１は、対応する第２の送受信回路３０００２に送信すべき第１のディジタルデータＵＤをＤＳＬ変調信号に変換して、第１の周波数変換部２１０１に出力する。
【０１５７】
第１の周波数変換部２１０１は、第１のＤＳＬ変調部１０１１に対応して複数設けられ、第１のＤＳＬ変調部１０１１から出力されたＤＳＬ変調信号を、互いに異なる所定の第１の周波数帯（図２８では、ｆ２およびｆ４）に周波数変換する。第１の合波部２０７１は、複数の第１の周波数変換部２１０１から出力された信号を周波数多重して、第１のＦＤＭ信号を出力する。第１の光変調部１０２１は、第１の合波部２０７１から出力された第１のＦＤＭ信号を第１の光信号に変換して、第１の光伝送部１０３１に送出する。第１の光伝送部１０３１は、第１の光変調部１０２１から送出された第１の光信号を伝送する。第１の光検波部１０４１は、第１の光伝送部１０３１を介して伝送されてきた第１の光信号を電気信号である第１のＦＤＭ信号に再変換して出力する。第１の分波部４０８１は、第１の光検波部１０４１から出力された第１のＦＤＭ信号から、互いに異なる周波数帯（図２８では、ｆ２およびｆ４）の信号を周波数分離して出力する。
【０１５８】
第２の周波数変換部２１１２は、第１の分波部４０８１から分離して出力された複数の信号のそれぞれに対応して設けられる。第２の周波数変換部２１１２は、第１の分波部４０８１で分離された信号を所定の第２の周波数帯の信号に変換して、第１の電気伝送部３０５１に送出する。第１の電気伝送部３０５１は、第２の周波数変換部２１１２に対応して設けられ、第２の周波数変換部２１１２から送出された電気信号を伝送する。第２の送受信回路３０００２に含まれている第１のＤＳＬ復調部１０６１は、第１の電気伝送部３０５１に接続される。第１のＤＳＬ復調部１０６１は、第１の電気伝送部３０５１を介して伝送されてきた信号を復調して、対応する第１の送受信回路３０００１から送信された第１のディジタルデータＵＤを再生する。第２の送受信回路３０００２に含まれている第２のＤＳＬ変調部１０１２は、対応する第１の送受信回路３０００１に送信すべき第２のディジタルデータＤＤを第２のＤＳＬ変調信号に変換して、第２の電気伝送部３０５２に送出する。第２の電気伝送部３０５２は、第２のＤＳＬ変調部１０１２に対応して設けられ、第２のＤＳＬ変調部１０１２から送出された第２のＤＳＬ変調信号を伝送する。
【０１５９】
第３の周波数変換部２１０３は、第２の電気伝送部３０５２に対応して設けられ、第２の電気伝送部３０５２を介して伝送されてきた第２のＤＳＬ変調信号を、互いに異なる所定の第３の周波数帯（図２８では、ｆ１およびｆ３）に変換して出力する。第２の合波部２０７２は、複数の第３の周波数変換部２１０３から出力された信号を周波数多重し、第２のＦＤＭ信号を出力する。第２の光変調部１０２２は、第２の合波部２０７２から出力された第２のＦＤＭ信号を第２の光信号に変換して、第２の光伝送部１０３２に送出する。第２の光伝送部１０３２は、第２の光変調部１０２２から送出された第２の光信号を伝送する。第２の光検波部１０４２は、第２の光伝送部１０３２を介して伝送されてきた第２の光信号を、電気信号である第２のＦＤＭ信号に再変換して出力する。第２の分波部４０８２は、第２の光検波部１０４２から出力された第２のＦＤＭ信号から、互いに異なる周波数帯（図２８では、ｆ１およびｆ３）の信号を周波数分離し、対応する第４の周波数変換部２１１４に出力する。
【０１６０】
第４の周波数変換部２１１４は、第２の分波部４０８２から分離して出力された、複数の信号のそれぞれに対応して設けられる。第４の周波数変換部２１１４は、第２の分波部４０８２で分離された信号を所定の第４の周波数帯に周波数変換する。第１の送受信回路３０００１に含まれる第２のＤＳＬ復調部１０６２は、第４の周波数変換部２１１４のそれぞれに対応して設けられる。第２のＤＳＬ復調部１０６２は、第４の周波数変換部２１１４から出力された信号を復調し、元の第２のデジタルデータＤＤを再生する。
【０１６１】
以上のような伝送装置では、複数の加入者対に対応する送受信回路から出力される複数の双方向伝送信号を、それぞれ互いに異なる周波数帯に変換し、１つのＦＤＭ信号として伝送することにより、光伝送路の数を削減できる。よって、加入者対の数が多い場合でも、低コストな双方向伝送装置を提供することができる。
【０１６２】
（第２９の実施形態）
図２９は、本発明の第２９の実施形態に係る伝送装置の構成を示すブロック図である。本実施形態に係る伝送装置は、２組の加入者対間の双方向通信サービスを提供する。図２９において、本実施形態に係る伝送装置２９は、第１の送受信回路３１００１と、第２の送受信回路３１００２と、第１の周波数変換部２１０１と、第２の周波数変換部２１１２と、第３の周波数変換部２１０３と、第４の周波数変換部２１１４と、第２の分離部３１２２と、双方向電気伝送部３１５０とをそれぞれ２組ずつ備え、さらに、第１の合波部２０７１と、第２の合波部２０７２と、第１の光変調部１０２１と、第２の光変調部１０２２と、第１の光伝送部１０３１と、第２の光伝送部１０３２と、第１の光検波部１０４１と、第２の光検波部１０４２と、第１の分波部４０８１と、第２の分波部４０８２とを備えている。第１の送受信回路３１００１は、第１の変復調部３１１１と、第１の分離部３１２１とを含み、第２の送受信回路３１００２は、第２の変復調部３１１２をそれぞれ含んでいる。なお、２つの第１の送受信回路３１００１と、２つの第１の周波数変換部２１０１と、２つの第４の周波数変換部２１１４と、第１の合波部２０７１と、第２の分波部４０８２と、第１の光変調部１０２１と、第２の光検波部１０４２とにより光送受信設備４１００１を、第１の光検波部１０４１と、第２の光変調部１０２２と、第１の分波部４０８１と、第２の合波部２０７２と、２つの第２の周波数変換部２１１２と、２つの第３の周波数変換部２１０３と、２つの第２の分離部３１２２とにより光終端装置４１００２を、各第２の送受信回路３１００２により加入者端末４１００３を、それぞれ構成する。
【０１６３】
図２９に示す伝送装置２９は、以下のように動作する。なお、以下の説明では、図２９に示す第１のディジタルデータＵＤａおよびＵＤｂを第１のディジタルデータＵＤと呼び、第２のディジタルデータＤＤａおよびＤＤｂを第２のディジタルデータＤＤと呼ぶ。図３０は、各部における伝送信号の周波数帯の配置を示す図である。第１の送受信回路３１００１と第２の送受信回路３１００２とは、複数の加入者対に対応して、加入者対の数と同数設けられる。第１の送受信回路３１００１に含まれている第１の変復調部３１１１は、対応する第２の送受信回路３１００２に送信すべき第１のディジタルデータＵＤを第１の基底周波数帯（ｆｕ）の第１のＤＳＬ変調信号に変換して、第１の分離部３１２１に出力すると共に、第１の分離部３１２１から出力される第２の基底周波数帯（ｆｄ）の第２のＤＳＬ変調信号を逆変換して、対応する第２の送受信回路３１００２から送信された第２のディジタルデータＤＤを再生する。第１の分離部３１２１は、第１の変復調部３１１１から出力された第１のＤＳＬ変調信号を、対応する第１の周波数変換部２１０１に出力すると共に、対応する第４の周波数変換部２１１４から出力された第２のＤＳＬ変調信号を、第１の変復調部３１１１に出力する。
【０１６４】
第１の周波数変換部２１０１は、第１の送受信回路３１００１に対応して複数設けられ、第１の送受信回路３１００１から出力された第１のＤＳＬ変調信号を、例えば図３０（ａ）および（ｂ）に示すように、互いに異なる所定の周波数帯（ｆ２およびｆ４）に変換して出力する。第１の合波部２０７１は、複数の第１の周波数変換部２１０１から出力された信号を周波数多重して、第１のＦＤＭ信号を出力する。第１の光変調部１０２１は、第１の合波部２０７１から出力された第１のＦＤＭ信号を第１の光信号に変換して、第１の光伝送部１０３１に送出する。第１の光検波部１０４１は、第１の光伝送部１０３１を介して伝送されてきた第１の光信号を、電気信号である第１のＦＤＭ信号に再変換して出力する。第１の分波部４０８１は、第１の光検波部１０４１から出力された第１のＦＤＭ信号を周波数分離し、互いに異なる周波数帯の信号を分離および出力する。
【０１６５】
第２の周波数変換部２１１２は、第１の分波部４０８１から分離して出力された複数の信号に対応して設けられ、当該信号をそれぞれ第１の基底周波数帯（ｆｕ）の第１のＤＳＬ変調信号に変換して出力する。第２の分離部３１２２は、第２の周波数変換部２１１２から出力された第１のＤＳＬ変調信号に対応して設けられる。第２の分離部３１２２は、第１のＤＳＬ変調信号を双方向電気伝送部３１５０に送出すると共に、双方向電気伝送部３１５０を介して伝送されてきた第２のＤＳＬ変調信号を、対応する第３の周波数変換部２１０３に出力する。第２の送受信回路３１００２に含まれている第２の変復調部３１１２は、双方向電気伝送部３１５０を介して伝送されてきた第１のＤＳＬ変調信号を復調して、対応する第１の送受信回路３１００１から送信された第１のディジタルデータＵＤを再生すると共に、第１の送受信回路３１００１に送信すべき第２のディジタルデータＤＤを第２の基底周波数帯（ｆｄ）の第２のＤＳＬ変調信号に変換して、双方向電気伝送部３１５０に出力する。
【０１６６】
第３の周波数変換部２１０３は、第２の分離部３１２２に対応して複数設けられ、第２の分離部３１２２から出力された第２のＤＳＬ変調信号を、互いに異なる所定の周波数帯（図３０（ａ）および（ｂ）では、ｆ１およびｆ３）に変換して出力する。第２の合波部２０７２は、複数の第３の周波数変換部２１０３から出力された信号を周波数多重して、第２のＦＤＭ信号を出力する。第２の光変調部１０２２は、第２の合波部２０７２から出力された第２のＦＤＭ信号を第２の光信号に変換して、第２の光伝送部１０３２に送出する。第２の光検波部１０４２は、第２の光伝送部１０３２を介して伝送されてきた第２の光信号を、電気信号である第２のＦＤＭ信号に再変換して出力する。第２の分波部４０８２は、第２の光検波部１０４２から出力された第２のＦＤＭ信号から、互いに異なる周波数帯の信号を分離し、対応する第４の周波数変換部２１１４に出力する。第４の周波数変換部２１１４は、第２の分波部４０８２から分離して出力された複数の信号のそれぞれに対応して設けられ、第２の分波部４０８２で分離された信号をそれぞれ第２の基底周波数帯（ｆｄ）の第２のＤＳＬ変調信号に変換して出力する。
【０１６７】
図３０を参照して、伝送装置２９における伝送信号の周波数配置をさらに詳しく説明する。第１のディジタルデータＵＤは、以下の原理により伝送される。複数の第１の変復調部３１１１は、いずれも同じ構成を有し、第１の基底周波数帯（ｆｕ）を占める第１のＤＳＬ変調信号をそれぞれ生成する。第１の周波数変換部２１０１は、第１の変復調部３１１１に対応して複数設けられている。２つの第１の周波数変換部２１０１は、２つの第１の分離部３１２１から出力された第１のＤＳＬ変調信号を、互いに異なる周波数帯（ｆ２、ｆ４）に変換する。第１の合波部２０７１は、第１の周波数変換部２１０１で周波数変換された信号を多重化し、第１のＦＤＭ信号を出力する。第１の分波部４０８１は、第１の光検波部１０４１から出力された第１のＦＤＭ信号を分離して、互いに異なる周波数帯（ｆ２、ｆ４）の信号を出力する。第２の周波数変換部２１１２は、第１の分波部４０８１で周波数分離した信号に対応して設けられており、分離した信号をそれぞれ第１の基底周波数帯（ｆｕ）に変換し、第２の分離部３１２２および双方向電気伝送部３１５０を経由して、対応する第２の変復調部３１１２に出力する。
【０１６８】
第２のディジタルデータＤＤは、以下の原理により伝送される。複数の第２の変復調部３１１２は、いずれも同じ構成を有し、第２の基底周波数帯（ｆｄ）を占める第２のＤＳＬ変調信号をそれぞれ生成する。第３の周波数変換部２１０３は、第２の変復調部３１１２に対応して複数設けられている。２つの第３の周波数変換部２１０３は、双方向電気伝送部３１５０を経由して２つの第２の分離部３１２２から出力された第２のＤＳＬ変調信号を、互いに異なる周波数帯（ｆ１、ｆ３）に変換する。第２の合波部２０７２は、第３の周波数変換部２１０３で周波数変換された信号を多重化し、第２のＦＤＭ信号を出力する。第２の分波部４０８２は、第２の光検波部１０４２から出力された第２のＦＤＭ信号を分離して、互いに異なる周波数帯（ｆ１、ｆ３）の信号を出力する。第４の周波数変換部２１１４は、第２の分波部４０８２で周波数分離した信号に対応して設けられており、分離した信号をそれぞれ第２の基底周波数帯（ｆｄ）に変換し、第１の分離部３１２１を経由して対応する第１の変復調部３１１１に出力する。
【０１６９】
図３０（ａ）および図３０（ｂ）に示すように、１つの加入者対に対応する第１の送受信回路３１００１と第２の送受信回路３１００２との間で送受信される第１のＤＳＬ変調信号および第２のＤＳＬ変調信号は、互いに異なる周波数帯（ｆ１とｆ２、またはｆ３とｆ４）に変換され、多重化されている。このため、例えば、第１の分離部３１２１（または第２の分離部３１２２）の周波数分離性能に起因して、第１の周波数変換部２１０１（または第３の周波数変換部２１０３）に入力する第１のＤＳＬ変調信号（または第２のＤＳＬ変調信号）に対して、第４の周波数変換部２１１４（または第２の周波数変換部２１１２）から出力される第２のＤＳＬ変調信号（または第１のＤＳＬ変調信号）の漏洩（クロストーク）成分が混入した場合においても、第１のＤＳＬ変調信号（または第２のＤＳＬ変調信号）の伝送品質は損わなわれない。
【０１７０】
また、図３０（ｃ）に示すように、複数の加入者対に対応する第１の送受信回路３１００１と第２の送受信回路３１００２との間で光伝送される第１のＤＳＬ変調信号および第２のＤＳＬ変調信号は、それぞれ互いに異なりかつ隣接した周波数帯に変換され、多重化される。すなわち、光伝送信号では、第１のＤＳＬ変調信号群と第２のＤＳＬ変調信号群とは、周波数軸上に交互に配置される。これにより、図３１に示すように、第１のＦＤＭ信号、すなわち、第１のＤＳＬ変調信号の周波数変換信号群（ｆ２、ｆ４、…、ｆ４８、ｆ５０）を伝送する過程で発生した２次の非線形歪は、その多くが、第２のＦＤＭ信号に対応する周波数帯（ｆ１、ｆ３、…、ｆ４７、ｆ４９）に発生し、第１のＤＳＬ変調信号の伝送品質を大きく損なわない。同様に、第２のＦＤＭ信号、すなわち、第２のＤＳＬ変調信号の周波数変換信号群（ｆ１、ｆ３、…、ｆ４７、ｆ４９）を伝送する過程で発生した２次の非線形歪は、その多くが、第１のＦＤＭ信号に対応する周波数帯（ｆ２、ｆ４、…、ｆ４８、ｆ５０）に発生し、第２のＤＳＬ変調信号の伝送品質を大きく損なわない。
【０１７１】
以上のような伝送装置では、複数の加入者対に対応する送受信回路から出力される複数の双方向信号を、互いに異なる周波数帯に変換し、１つのＦＤＭ信号として伝送することにより、光伝送路の数を削減できる。よって、加入者対の数が多い場合でも、低コストな双方向伝送装置を提供することができる。また、装置を構成する回路やデバイスの性能に起因して、双方向信号間のクロストークや伝送歪が生じた場合でも、伝送品質の劣化が少ない、高品質な双方向伝送装置を提供することができる。
【０１７２】
（第３０の実施形態）
図３２は、本発明の第３０の実施形態に係る伝送装置の構成を示すブロック図である。本実施形態に係る伝送装置は、２組の加入者対間の双方向通信サービスを提供する。図３２において、本実施形態に係る伝送装置３２は、第１の送受信回路３４００１と、第２の送受信回路３４００２と、第１の周波数変換部２１０１と、第２の周波数変換部２１１２と、第３の周波数変換部２１０３と、第４の周波数変換部２１１４と、第２の分離部３１２２と、双方向電気伝送部３１５０とをそれぞれ２組ずつ備え、さらに、第１の合波部２０７１と、第２の合波部２０７２と、第１の光変調部１０２１と、第２の光変調部１０２２と、第１の光検波部１０４１と、第２の光検波部１０４２と、第１の分波部４０８１と、第２の分波部４０８２と、第１の光合分波部３４０１と、第２の光合分波部３４０２と、双方向光伝送部３４０３とを備えている。第１の送受信回路３４００１は、第１の変復調部３１１１と、第１の分離部３１２１とを含み、第２の送受信回路３４００２は、第２の変復調部３１１２を含んでいる。なお、２つの第１の送受信回路３４００１と、２つの第１の周波数変換部２１０１と、２つの第４の周波数変換部２１１４と、第１の合波部２０７１と、第２の分波部４０８２と、第１の光変調部１０２１と、第２の光検波部１０４２と、第１の光合分波部３４０１とにより光送受信設備４２００１を、第２の光合分波部３４０２と、第１の光検波部１０４１と、第２の光変調部１０２２と、第１の分波部４０８１と、第２の合波部２０７２と、２つの第２の周波数変換部２１１２と、２つの第３の周波数変換部２１０３と、２つの第２の分離部３１２２とにより光終端装置４２００２を、各第２の送受信回路３４００２により加入者端末４２００３を、それぞれ構成する。
【０１７３】
本実施形態は、前述の第２９の実施形態と比べて、第１の光伝送部１０３１および第２の光伝送部１０３２に代えて、第１の光合分波部３４０１と、第２の光合分波部３４０２と、双方向光伝送部３４０３とを備える点で相違する。そこで、第２９の実施形態と同様の働きをする構成要素に関しては、同一の番号を付してその説明を省略し、第２９の実施形態との相違点を中心に説明する。
【０１７４】
第１の光合分波部３４０１は、第１の光変調部１０２１から出力された第１の光信号を、双方向光伝送部３４０３に送出すると共に、第２の光変調部１０２２から送出され、双方向光伝送部３４０３を介して伝送されてきた第２の光信号を、第２の光検波部１０４２に出力する。第２の光合分波部３４０２は、第２の光変調部１０２２から出力された第２の光信号を、双方向光伝送部３４０３に送出すると共に、第１の光変調部１０２１から送出され、双方向光伝送部３４０３を介して伝送されてきた第１の光信号を、第１の光検波部１０４１に出力する。
【０１７５】
以上のような伝送装置は、双方向伝送される２つの光信号のそれぞれに専用の光伝送路を備えず、両信号を１本の光ファイバに方向多重する。これにより、より簡単な構成で、双方向伝送装置を提供することができる。
【図面の簡単な説明】
【図１】本発明の第１の実施形態に係る伝送装置の構成を示すブロック図である。
【図２】本発明の第２の実施形態に係る伝送装置の構成を示すブロック図である。
【図３】本発明の第３の実施形態に係る伝送装置の構成を示すブロック図である。
【図４】本発明の第４の実施形態に係る伝送装置の構成を示すブロック図である。
【図５】本発明の第５の実施形態に係る伝送装置の構成を示すブロック図である。
【図６】本発明の第６の実施形態に係る伝送装置の構成を示すブロック図である。
【図７】本発明の第７の実施形態に係る伝送装置の構成を示すブロック図である。
【図８】本発明の第８の実施形態に係る伝送装置の構成を示すブロック図である。
【図９】本発明の第９の実施形態に係る伝送装置の構成を示すブロック図である。
【図１０】本発明の第１０の実施形態に係る伝送装置の構成を示すブロック図である。
【図１１】本発明の第１１の実施形態に係る伝送装置の構成を示すブロック図である。
【図１２】本発明の第１２の実施形態に係る伝送装置の構成を示すブロック図である。
【図１３】本発明の第１３の実施形態に係る伝送装置の構成を示すブロック図である。
【図１４】本発明の第１４の実施形態に係る伝送装置の構成を示すブロック図である。
【図１５】本発明の第１５の実施形態に係る伝送装置の構成を示すブロック図である。
【図１６】本発明の第１６の実施形態に係る伝送装置の構成を示すブロック図である。
【図１７】本発明の第１７の実施形態に係る伝送装置の構成を示すブロック図である。
【図１８】本発明の第１８の実施形態に係る伝送装置の構成を示すブロック図である。
【図１９】本発明の第１９の実施形態に係る伝送装置の構成を示すブロック図である。
【図２０】本発明の第２０の実施形態に係る伝送装置の構成を示すブロック図である。
【図２１】本発明の第２１の実施形態に係る伝送装置の構成を示すブロック図である。
【図２２】本発明の第２２の実施形態に係る伝送装置の構成を示すブロック図である。
【図２３】本発明の第２３の実施形態に係る伝送装置の構成を示すブロック図である。
【図２４】本発明の第２４の実施形態に係る伝送装置の構成を示すブロック図である。
【図２５】本発明の第２５の実施形態に係る伝送装置の構成を示すブロック図である。
【図２６】本発明の第２６の実施形態に係る伝送装置の構成を示すブロック図である。
【図２７】本発明の第２７の実施形態に係る伝送装置の構成を示すブロック図である。
【図２８】本発明の第２８の実施形態に係る伝送装置の構成を示すブロック図である。
【図２９】本発明の第２９の実施形態に係る伝送装置の構成を示すブロック図である。
【図３０】本発明の第２９の実施形態に係る伝送装置における、第１のＤＳＬ変調信号、第２のＤＳＬ変調信号、および、各周波数変換信号の周波数配置と、両信号間のクロストークを説明する模式図である。
【図３１】本発明の第２９の実施形態に係る伝送装置における、第１のＦＤＭ信号（または第２のＦＤＭ信号）において発生する非線形歪の影響を説明する模式図である。
【図３２】本発明の第３０の実施形態に係る伝送装置の構成を示すブロック図である。
【図３３】従来の伝送装置の構成を示すブロック図である。
【図３４】従来の伝送装置の他の構成を示すブロック図である。
【符号の説明】
１〜２９、３２〜３４…伝送装置
１０１…ＤＳＬ変調部
１０２…光変調部
１０３…光伝送部
１０４…光検波部
１０５…電気伝送部
１０６…ＤＳＬ復調部
１００１…光送出設備
１００２…光終端装置
１００３…加入者端末
２０１…変調部
２０６…復調部
２１０…第１の周波数変換部
２１１…第２の周波数変換部
１２００１…光送出設備
２００３…加入者端末
８１１…第２の周波数変換部
８００２…光終端装置
２０７…合波部
２００１…光送出設備
３０８…分岐部
３００２…光終端装置
４０８…分波部
４００２…光終端装置
５００２…光終端装置
１３０１…第１のＦＭ変調部
１３０２…第１のＦＭ復調部
１３００１…光送出設備
１３００２…光終端装置
２０００１…光送出設備
２０００２…光終端装置
１４００２…光終端装置
１４００１…光送出設備
１５００２…光終端装置
９０８…光分配部
１１１２…周波数多重部
１６１３…周波数分離部
２３００１…光送出設備
２３００２…光終端装置
１１０１…変調部
１１００１…光送出設備
１１１３…第２の周波数分離部
１１００３…加入者端末
２４００１…光送出設備
２４００２…光終端装置
１８０７…合波多重部
１６００１…光送出設備
１６００２…光終端装置
２５００２…光終端装置
２６００１…光送出設備
２６００２…光終端装置
２７００１…光送出設備
１７００１…光送出設備
１７００２…光終端装置
２８００２…光終端装置
１８０１…ＦＤＭ多重部
１８０２…第２のＦＭ変調部
１８０３…第２のＦＭ復調部
１８０４…ＦＤＭ分離部
１０１１…第１のＤＳＬ変調部
２１０１…第１の周波数変換部
２０７１…第１の合波部
１０２１…第１の光変調部
１０３１…第１の光伝送部
１０４１…第１の光検波部
４０８１…第１の分波部
２１１２…第２の周波数変換部
３０５１…第１の電気伝送部
１０６１…第１のＤＳＬ復調部
１０１２…第２のＤＳＬ変調部
３０５２…第２の電気伝送部
２１０３…第３の周波数変換部
２０７２…第２の合波部
１０２２…第２の光変調部
１０３２…第２の光伝送部
１０４２…第２の光検波部
４０８２…第２の分波部
２１１４…第４の周波数変換部
１０６２…第２のＤＳＬ復調部
３０００１…第１の送受信回路
３０００２…第２の送受信回路
４０００１…光送受信設備
４０００２…光終端装置
４０００３…加入者端末
３１１１…第１の変復調部
３１１２…第２の変復調部
３１２１…第１の分離部
３１２２…第２の分離部
３１５０…双方向電気伝送部
３１００１…第１の送受信回路
３１００２…第２の送受信回路
４１００１…光送受信設備
４１００２…光終端装置
４１００３…加入者端末
３４０１…第１の光合分波部
３４０２…第２の光合分波部
３４０３…双方向光伝送部
３４００１…第１の送受信回路
３４００２…第２の送受信回路
４２００１…光送受信設備
４２００２…光終端装置
４２００３…加入者端末
６０１…ＤＳＬ変調部
６０２…光変調部
６０３…光伝送部
６０４…光検波部
６０５…電気伝送部
６０６…ＤＳＬ復調部
６００１…光送出設備
６００２…光終端装置
６００３…加入者端末
７０７…多重化部
７０８…多重分離部
７００１…光送出設備
７００２…光終端装置
７００３…加入者端末
【図１】
2004007326.tif 000003
【図２】
2004007326.tif 000004
【図３】
2004007326.tif 000005
【図４】
2004007326.tif 000006
【図５】
2004007326.tif 000007
【図６】
2004007326.tif 000008
【図７】
2004007326.tif 000009
【図８】
2004007326.tif 000010
【図９】
2004007326.tif 000011
【図１０】
2004007326.tif 000012
【図１１】
2004007326.tif 000013
【図１２】
2004007326.tif 000014
【図１３】
2004007326.tif 000015
【図１４】
2004007326.tif 000016
【図１５】
2004007326.tif 000017
【図１６】
2004007326.tif 000018
【図１７】
2004007326.tif 000019
【図１８】
2004007326.tif 000020
【図１９】
2004007326.tif 000021
【図２０】
2004007326.tif 000022
【図２１】
2004007326.tif 000023
【図２２】
2004007326.tif 000024
【図２３】
2004007326.tif 000025
【図２４】
2004007326.tif 000026
【図２５】
2004007326.tif 000027
【図２６】
2004007326.tif 000028
【図２７】
2004007326.tif 000029
【図２８】
2004007326.tif 000030
【図２９】
2004007326.tif 000031
【図３０】
2004007326.tif 000032
【図３１】
2004007326.tif 000033
【図３２】
2004007326.tif 000034
【図３３】
2004007326.tif 000035
【図３４】
2004007326.tif 000036